(57)【特許請求の範囲】
【請求項１】
通信方法であって、
基地局によりアンテナ重み付けの方式を用いることによってｍ個のビームを形成するステップであって、ｍは１よりも大きい正の整数であるステップと、
前記基地局によりユーザ機器（ＵＥ）のアップリンクサウンディング信号に従って、前記ｍ個のビームにおける各ビームのアップリンク受信電力を決定するステップと、
前記基地局により前記ｍ個のビームにおける各ビームの前記アップリンク受信電力に従って、前記ｍ個のビームからｎ個のビームを選択するステップであって、ｎは正の整数であり、ｎ＜ｍであり、前記ｍ個のビームから最適ビームを選択することを含み、前記最適ビームのアップリンク受信電力は、前記ｍ個のビームにおける最大のものである、ステップと、
前記基地局により前記ｎ個のビームを用いることによってパイロット信号を前記ＵＥに送信するステップであって、前記最適ビームを用いることによって前記パイロット信号を前記ＵＥに送信することを含む、ステップと
を含み、前記最適ビームを用いることによって前記パイロット信号を前記ＵＥに送信するステップの前に、前記方法は、前記基地局により第１のシグナリングを前記ＵＥに送信するステップであって、前記第１のシグナリングは、前記最適ビームに対応するパイロット信号構成と、パイロット信号を送信するための開始時間および送信間隔とを示すのに用いられる、ステップを含むことを特徴とする通信方法。
【請求項２】
前記パイロット信号構成は、前記パイロット信号によって占有される時間−周波数リソースを示すのに用いられることを特徴とする請求項１に記載の方法。
【請求項３】
前記最適ビームを用いることによって、前記パイロット信号を前記ＵＥに送信するステップの後、前記方法は、
前記基地局により前記ＵＥから第１の測定情報を受信するステップであって、前記第１の測定情報は、前記ＵＥが第１のシグナリングに従って前記パイロット信号を測定した後に前記ＵＥによって得られるステップと、
前記基地局により前記最適ビームを用いることによって、前記第１の測定情報に従って前記ＵＥにデータを送信するステップと
をさらに含むことを特徴とする請求項２に記載の方法。
【請求項４】
通信方法であって、
基地局によりアンテナ重み付けの方式を用いることによってｍ個のビームを形成するステップであって、ｍは１よりも大きい正の整数であるステップと、
前記基地局によりユーザ機器（ＵＥ）のアップリンクサウンディング信号に従って、前記ｍ個のビームにおける各ビームのアップリンク受信電力を決定するステップと、
前記基地局により前記ｍ個のビームにおける各ビームの前記アップリンク受信電力に従って、前記ｍ個のビームからｎ個のビームを選択するステップであって、ｎは正の整数であり、ｎ＜ｍであるステップと、
前記基地局により前記ｎ個のビームを用いることによってパイロット信号を前記ＵＥに送信するステップと
を含み、
前記ｍ個のビームからｎ個のビームを前記選択するステップは、
前記ｍ個のビームにおける各ビームの前記アップリンク受信電力に従って、ｑ個のビームグループの各々におけるビームのアップリンク受信電力の和を決定するステップであって、前記ｑ個のビームグループは、前記ｍ個のビームをグループ化することによって得られ、各ビームグループはｎ個のビームを含む、ステップを含むことを特徴とする方法。
【請求項５】
前記ｍ個のビームからｎ個のビームを前記選択するステップは、
前記ｑ個のビームグループからビームグループを選択するステップであって、前記選択されたビームグループ内のビームのアップリンク受信電力の和は、前記ｑ個のビームグループにおける最大のものであるステップをさらに含むことを特徴とする請求項４に記載の方法。
【請求項６】
前記選択されたビームグループ内のｎ個のビームは、ｎ個のタイプのパイロット信号構成に対し１対１の対応関係にあり、前記パイロット信号構成は、前記パイロット信号によって占有される時間−周波数リソースを示すのに別個に用いられ、
前記パイロット信号を前記ＵＥに前記送信するステップは、
前記選択されたビームグループ内の前記ｎ個のビームを用いることによって、前記ｎ個のタイプのパイロット信号構成に従って前記ＵＥに前記パイロット信号を別個に送信するステップを含むことを特徴とする請求項５に記載の方法。
【請求項７】
前記パイロット信号を前記ＵＥに送信するステップの前に、前記方法は、
前記基地局により前記ＵＥに第２のシグナリングを送信するステップであって、前記第２のシグナリングは、前記ｎ個のタイプのパイロット信号構成と、前記パイロット信号を送信するための開始時間および送信間隔とを示すのに用いられるステップをさらに含むことを特徴とする請求項６に記載の方法。
【請求項８】
前記パイロット信号を前記ＵＥに送信するステップの後に、前記方法は、
前記基地局により前記ＵＥから第２の測定情報を受信するステップであって、前記第２の測定情報は、前記ＵＥが前記第２のシグナリングに従って前記パイロット信号を測定した後に前記ＵＥによって得られるｎ個の測定結果を含むステップと、
前記基地局により前記選択されたビームグループおよび前記第２の測定情報に従って、前記ＵＥに対応するデータ送信ビームを決定するステップと、
前記基地局により前記データ送信ビームを用いることによってデータを前記ＵＥに送信するステップと
をさらに含むことを特徴とする請求項７に記載の方法。
【請求項９】
前記ＵＥに対応する前記データ送信ビームを前記決定するステップは、
前記ｎ個の測定結果に別個に対応するスペクトル効率を決定するステップと、
前記ｎ個の測定結果に別個に対応する前記スペクトル効率に従って、前記ｎ個の測定結果における最適な測定結果を決定するステップであって、前記最適な測定結果に対応するスペクトル効率は、前記ｎ個の測定結果における最大のものであるステップと、
前記最適な測定結果および前記選択されたビームグループに従って前記データ送信ビームを決定するステップと
を含むことを特徴とする請求項８に記載の方法。
【請求項１０】
通信方法であって、
ユーザ機器（ＵＥ）によりｎ個のビームを用いることによって基地局により送信されるパイロット信号を受信するステップであって、前記ｎ個のビームは、ｍ個の形成されたビームから、前記ｍ個のビームにおける各ビームのアップリンク受信電力に従って前記基地局によって選択され、ｍは１よりも大きい正の整数であり、ｎは正の整数であり、ｎ＜ｍであり、
最適ビームを用いることによって前記基地局により送信されるパイロット信号を受信することを含み、前記最適ビームのアップリンク受信電力は、前記ｍ個のビームにおける最大のものである、ステップと、
前記ＵＥにより前記パイロット信号を測定するステップと
を含み、前記パイロット信号を受信するステップの前に、前記方法は、
前記ＵＥにより前記基地局によって送信される第１のシグナリングを受信するステップであって、前記第１のシグナリングは、前記最適ビームに対応するパイロット信号構成と、前記パイロット信号を送信するための開始時間および送信間隔とを示すのに用いられる、ステップを含むことを特徴とする通信方法。
【請求項１１】
前記パイロット信号構成は、前記パイロット信号によって占有される時間−周波数リソースを示すのに用いられ、
前記パイロット信号を測定するステップは、
第１のシグナリングに従ってパイロット信号を測定し、第１の測定情報を得るステップを含むことを特徴とする請求項１０に記載の方法。
【請求項１２】
前記ＵＥにより前記第１の測定情報を前記基地局に送信するステップと、
前記ＵＥにより前記最適ビームを用いることによって前記第１の測定情報に従って前記基地局によって送信されるデータを受信するステップと、
をさらに含むことを特徴とする請求項１１に記載の方法。
【請求項１３】
通信方法であって、
ユーザ機器（ＵＥ）によりｎ個のビームを用いることによって基地局により送信されるパイロット信号を受信するステップであって、前記ｎ個のビームは、ｍ個の形成されたビームから、前記ｍ個のビームにおける各ビームのアップリンク受信電力に従って前記基地局によって選択され、ｍは１よりも大きい正の整数であり、ｎは正の整数であり、ｎ＜ｍであるステップと、
前記ＵＥにより前記パイロット信号を測定するステップと
を含み、
パイロット信号を前記受信するステップは、
ビームグループ内のｎ個のビームを用いることによって前記基地局により別個に送信される前記パイロット信号を受信するステップであって、前記ビームグループは、前記ｍ個のビームをグループ化することによって前記基地局により得られるｑ個のビームグループから選択され、各ビームグループはｎ個のビームを含むことを特徴とする方法。
【請求項１４】
前記ビームグループ内のビームのアップリンク受信電力の和は、前記ｑ個のビームグループにおける最大のものであるステップを含むことを特徴とする請求項１３に記載の方法。
【請求項１５】
前記ビームグループ内のｎ個のビームは、ｎ個のタイプのパイロット信号構成と１対１の対応関係にあり、前記パイロット信号構成は、前記パイロット信号によって占有される時間−周波数リソースを示すのに用いられ、
ビームグループ内のｎ個のビームを用いることによって前記基地局により送信される前記パイロット信号を前記受信するステップは、
前記ビームグループ内の前記ｎ個のビームを用いることによって前記ｎ個のタイプのパイロット信号構成に従って前記基地局により別個に送信される前記パイロット信号を受信するステップを含むことを特徴とする請求項１４に記載の方法。
【請求項１６】
前記パイロット信号を受信するステップの前に、前記方法は、
前記ＵＥにより前記基地局によって送信される第２のシグナリングを受信するステップであって、前記第２のシグナリングは、前記ｎ個のタイプのパイロット信号構成と、前記パイロット信号を送信するための開始時間および送信間隔とを示すのに用いられるステップを含み、
前記パイロット信号を前記測定するステップは、
前記第２のシグナリングに従って前記パイロット信号を測定し、ｎ個の測定結果を得るステップをさらに含むことを特徴とする請求項１５に記載の方法。
【請求項１７】
前記ＵＥにより第２の測定情報を前記基地局に送信するステップであって、前記第２の測定情報は前記ｎ個の測定結果を含むステップと、
前記ＵＥによりデータ送信ビームを用いることによって前記基地局により送信されるデータを受信するステップであって、前記データ送信ビームは、前記ビームグループおよび前記第２の測定情報に従って前記基地局によって決定されるステップと
をさらに含むことを特徴とする請求項１６に記載の方法。
【請求項１８】
基地局であって、
アンテナ重み付けの方式を用いることによって、ｍ個のビームを形成するように構成された重み付けユニットであって、ｍは１よりも大きい正の整数である重み付けユニットと、
ユーザ機器（ＵＥ）のアップリンクサウンディング信号に従って、前記ｍ個のビームにおける各ビームのアップリンク受信電力を決定するように構成された第１の決定ユニットと、
前記ｍ個のビームにおける各ビームの前記アップリンク受信電力に従って、前記ｍ個のビームからｎ個のビームを選択するように構成された選択ユニットであって、ｎは正の整数であり、ｎ＜ｍであり、前記ｍ個のビームから最適ビームを選択するようにさらに構成され、前記最適ビームのアップリンク受信電力は、前記ｍ個のビームにおける最大のものである、選択ユニットと、
前記ｎ個のビームを用いることによってパイロット信号を前記ＵＥに送信するように構成された送信ユニットと
を備え、
前記送信ユニットは、前記最適ビームを用いることによって前記パイロット信号を前記ＵＥに送信するようにさらに構成され、
前記送信ユニットは、前記最適ビームを用いることによって前記ＵＥに前記パイロット信号を送信する前に、第１のシグナリングを前記ＵＥに送信するようにさらに構成され、前記第１のシグナリングは、前記最適ビームに対応するパイロット信号構成と、前記パイロット信号を送信するための開始時間および送信間隔を示すのに用いられることを特徴とする基地局。
【請求項１９】
前記パイロット信号構成は、前記パイロット信号によって占有される時間−周波数リソースを示すのに用いられることを特徴とする請求項１８に記載の基地局。
【請求項２０】
第１の受信ユニットをさらに備え、
前記第１の受信ユニットは、前記送信ユニットが前記最適ビームを用いることによって前記ＵＥに前記パイロット信号を送信した後、前記ＵＥから第１の測定情報を受信するように構成され、前記第１の測定情報は、前記ＵＥが前記第１のシグナリングに従って前記パイロット信号を測定した後に前記ＵＥによって得られ、
前記送信ユニットは、前記最適ビームを用いることによって、前記第１の測定情報に従ってデータを前記ＵＥに送信するようにさらに構成されることを特徴とする請求項１９に記載の基地局。
【請求項２１】
基地局であって、
アンテナ重み付けの方式を用いることによって、ｍ個のビームを形成するように構成された重み付けユニットであって、ｍは１よりも大きい正の整数である重み付けユニットと、
ユーザ機器（ＵＥ）のアップリンクサウンディング信号に従って、前記ｍ個のビームにおける各ビームのアップリンク受信電力を決定するように構成された第１の決定ユニットと、
前記ｍ個のビームにおける各ビームの前記アップリンク受信電力に従って、前記ｍ個のビームからｎ個のビームを選択するように構成された選択ユニットであって、ｎは正の整数であり、ｎ＜ｍである選択ユニットと、
前記ｎ個のビームを用いることによってパイロット信号を前記ＵＥに送信するように構成された送信ユニットと
を備え、前記選択ユニットは、
前記ｍ個のビームにおける各ビームの前記アップリンク受信電力に従って、ｑ個のビームグループの各々におけるビームのアップリンク受信電力の和を決定し、前記ｑ個のビームグループは、前記ｍ個のビームをグループ化することによって得られ、各ビームグループはｎ個のビームを含み、
ｑ個のビームグループからビームグループを選択するように構成されることを特徴とする基地局。
【請求項２２】
前記選択されたビームグループ内のビームのアップリンク受信電力の和は、前記ｑ個のビームグループにおける最大のものであることを特徴とする請求項２１に記載の基地局。
【請求項２３】
前記選択されたビームグループ内のｎ個のビームは、ｎ個のタイプのパイロット信号構成と１対１の対応関係にあり、前記パイロット信号構成は、前記パイロット信号によって占有される時間−周波数リソースを示すのに別個に用いられ、
前記送信ユニットは、前記選択されたビームグループ内の前記ｎ個のビームを用いることによって、前記ｎ個のタイプのパイロット信号構成に従って前記ＵＥに前記パイロット信号を別個に送信するように構成されることを特徴とする請求項２２に記載の基地局。
【請求項２４】
前記送信ユニットは、前記ＵＥに前記パイロット信号を送信する前に、前記ＵＥに第２のシグナリングを送信するようにさらに構成され、前記第２のシグナリングは、前記ｎ個のタイプのパイロット信号構成と、前記パイロット信号を送信するための開始時間および送信間隔とを示すのに用いられることを特徴とする請求項２３に記載の基地局。
【請求項２５】
第２の受信ユニットおよび第２の決定ユニットをさらに備え、
前記第２の受信ユニットは、前記送信ユニットが、前記ＵＥに前記パイロット信号を送信した後に、前記ＵＥから第２の測定情報を受信するように構成され、前記第２の測定情報は、前記ＵＥが前記第２のシグナリングに従って前記パイロット信号を測定した後に前記ＵＥによって得られるｎ個の測定結果を含み、
前記第２の決定ユニットは、前記選択されたビームグループおよび前記第２の測定情報に従って、前記ＵＥに対応するデータ送信ビームを決定するように構成され、
前記送信ユニットは、前記データ送信ビームを用いることによってデータを前記ＵＥに送信するようにさらに構成されることを特徴とする請求項２４に記載の基地局。
【請求項２６】
前記第２の決定ユニットは、
前記ｎ個の測定結果に別個に対応するスペクトル効率を決定し、
前記ｎ個の測定結果に別個に対応する前記スペクトル効率に従って、前記ｎ個の測定結果における最適な測定結果を決定し、前記最適な測定結果に対応するスペクトル効率は、前記ｎ個の測定結果における最大のものであり、
前記最適な測定結果および前記選択されたビームグループに従って前記データ送信ビームを決定するように構成されることを特徴とする請求項２５に記載の基地局。
【請求項２７】
ユーザ機器であって、
ｎ個のビームを用いることによって基地局により送信されるパイロット信号を受信するように構成された受信ユニットであって、前記ｎ個のビームは、ｍ個の形成されたビームから、前記ｍ個のビームにおける各ビームのアップリンク受信電力に従って前記基地局によって選択され、ｍは１よりも大きい正の整数であり、ｎは正の整数であり、ｎ＜ｍであり、最適ビームを用いることによって前記基地局により送信される前記パイロット信号を受信するようにさらに構成され、前記最適ビームのアップリンク受信電力は、前記ｍ個のビームにおける最大のものである、受信ユニットと、
前記パイロット信号を測定するように構成された測定ユニットと
を備え、前記受信ユニットは、前記パイロット信号を受信する前に、前記基地局によって送信される第１のシグナリングを受信するようにさらに構成され、前記第１のシグナリングは、前記最適ビームに対応するパイロット信号構成と、前記パイロット信号を送信するための開始時間および送信間隔とを示すのに用いられることを特徴とするユーザ機器。
【請求項２８】
前記パイロット信号構成は、前記パイロット信号によって占有される時間−周波数リソースを示すのに用いられ、
前記測定ユニットは、前記第１のシグナリングに従って前記パイロット信号を測定し、第１の測定情報を得るように構成されることを特徴とする請求項２７に記載のユーザ機器。
【請求項２９】
送信ユニットをさらに備え、
前記送信ユニットは、前記第１の測定情報を前記基地局に送信するように構成され、
前記受信ユニットは、前記最適ビームを用いることによって、前記第１の測定情報に従って前記基地局によって送信されるデータを受信するようにさらに構成されることを特徴とする請求項２８に記載のユーザ機器。
【請求項３０】
ユーザ機器であって、
ｎ個のビームを用いることによって基地局により送信されるパイロット信号を受信するように構成された受信ユニットであって、前記ｎ個のビームは、ｍ個の形成されたビームから、前記ｍ個のビームにおける各ビームのアップリンク受信電力に従って前記基地局によって選択され、ｍは１よりも大きい正の整数であり、ｎは正の整数であり、ｎ＜ｍである受信ユニットと、
前記パイロット信号を測定するように構成された測定ユニットと
を備え、
前記受信ユニットは、ビームグループ内のｎ個のビームを用いることによって前記基地局により別個に送信される前記パイロット信号を受信するように構成され、前記ビームグループは、前記ｍ個のビームをグループ化することによって前記基地局により得られるｑ個のビームグループから選択され、各ビームグループはｎ個のビームを含むことを特徴とするユーザ機器。
【請求項３１】
前記ビームグループ内のビームのアップリンク受信電力の和は、前記ｑ個のビームグループにおける最大のものであることを特徴とする請求項３０に記載のユーザ機器。
【請求項３２】
前記ビームグループ内のｎ個のビームは、ｎ個のタイプのパイロット信号構成と１対１の対応関係にあり、前記パイロット信号構成は、前記パイロット信号によって占有される時間−周波数リソースを示すのに用いられ、
前記受信ユニットは、前記ビームグループ内の前記ｎ個のビームを用いることによって前記ｎ個のタイプのパイロット構成に従って前記基地局により別個に送信される前記パイロット信号を受信するように構成されることを特徴とする請求項３１に記載のユーザ機器。
【請求項３３】
前記受信ユニットは、前記パイロット信号を受信する前に、前記基地局によって送信される第２のシグナリングを受信するようにさらに構成され、前記第２のシグナリングは、前記ｎ個のタイプのパイロット信号構成と、前記パイロット信号を送信するための開始時間および送信間隔とを示すのに用いられ、
前記測定ユニットは、前記第２のシグナリングに従って前記パイロット信号を測定し、ｎ個の測定結果を得るように構成されることを特徴とする請求項３２に記載のユーザ機器。
【請求項３４】
送信ユニットをさらに備え、
前記送信ユニットは、第２の測定情報を前記基地局に送信するように構成され、前記第２の測定情報は前記ｎ個の測定結果を含み、
前記受信ユニットは、データ送信ビームを用いることによって前記基地局により送信されるデータを受信するようにさらに構成され、前記データ送信ビームは、前記ビームグループおよび前記第２の測定情報に従って前記基地局によって決定されることを特徴とする請求項３３に記載のユーザ機器。
【請求項３５】
請求項１から１７のいずれかに記載の方法をコンピュータデバイスに実行するようにさせるプログラム。
【発明の詳細な説明】
【技術分野】
【０００１】
本発明は、通信の分野に関し、特に、通信方法、基地局およびユーザ機器に関する。
【背景技術】
【０００２】
理論的解析は、アンテナ数が増大するにつれ、チャネル容量が増大することを示す。さらに、送信側におけるアンテナ数が増大するにつれ、より良好なビームフォーミング効果を得ることができる。したがって、送受信のためにより多くのアンテナを用いる無線送信技術、すなわち、多入力多出力（Multiple-Input and Multiple-Output、ＭＩＭＯ）技術が、常に、モバイル通信の分野において研究される主流の技術のうちの１つである。
【０００３】
基準信号、すなわちパイロット信号は、基地局によってユーザ機器（User Equipment、ＵＥ）に提供され、チャネル推定またはチャネル測定のためにＵＥによって用いられる既知の信号のタイプである。現在、パイロット信号設計の基本概念は、各ポートが１つのパイロット信号に対応するというものである。そのような１対１のマッピング方式の場合、各アンテナは１つのパイロット信号を無指向性に送信する。
【０００４】
ＭＩＭＯ技術では、アンテナ数が増大するにつれ、ポート数が増大する。既存のパイロット信号設計解決策が採用される場合、基地局は、全てのポートを用いることによってパイロット信号をＵＥに送信する必要があり、結果として、基地局がＵＥのためにパイロット信号を構成するときの柔軟性が乏しくなる。さらに、ＵＥは全てのポートについてパイロット信号を測定する必要もあり、これによって測定複雑度が増大する。
【発明の概要】
【０００５】
本発明の実施形態は、ＵＥのためにパイロット信号を構成する柔軟性を改善することができ、ＵＥによってパイロット信号を測定することの複雑度を低減することができる、通信方法、基地局およびユーザ機器を提供する。
【０００６】
第１の態様によれば、アンテナ重み付けの方式を用いることによってｍ個のビームを形成することであって、ここで、ｍは１よりも大きい正の整数であることと；ユーザ機器（ＵＥ）のアップリンクサウンディング信号に従って、ｍ個のビームにおける各ビームのアップリンク受信電力を決定することと；ｍ個のビームにおける各ビームのアップリンク受信電力に従って、ｍ個のビームからｎ個のビームを選択することであって、ここで、ｎは正の整数であり、ｎ＜ｍであることと；ｎ個のビームを用いることによってパイロット信号をＵＥに送信することとを含む通信方法が提供される。
【０００７】
第１の態様を参照して、第１の可能な実施方式では、ｍ個のビームにおける各ビームのアップリンク受信電力に従って、ｍ個のビームからｎ個のビームを選択することは：ｍ個のビームから最適ビームを選択することであって、ここで、最適ビームのアップリンク受信電力は、ｍ個のビームにおける最大のものであることを含み；ｎ個のビームを用いることによってパイロット信号をＵＥに送信することは：最適ビームを用いることによってパイロット信号をＵＥに送信することを含む。
【０００８】
第１の態様の第１の可能な実施方式を参照して、第２の可能な実施方式では、最適ビームを用いることによってパイロット信号をＵＥに送信することの前に、本方法は：第１のシグナリングをＵＥに送信することであって、ここで、第１のシグナリングは、最適ビームに対応するパイロット信号構成と、パイロット信号を送信するための開始時間および送信間隔とを示すのに用いられ、パイロット信号構成は、パイロット信号によって占有される時間−周波数リソースを示すのに用いられることをさらに含む。
【０００９】
第１の態様の第２の可能な実施方式を参照して、第３の可能な実施方式では、最適ビームを用いることによって、パイロット信号をＵＥに送信することの後、本方法は：ＵＥから第１の測定情報を受信することであって、ここで、第１の測定情報は、ＵＥが第１のシグナリングに従ってパイロット信号を測定した後にＵＥによって得られることと；最適ビームを用いることによって、第１の測定情報に従ってＵＥにデータを送信することとをさらに含む。
【００１０】
第１の態様の第３の可能な実施方式を参照して、第４の可能な実施方式では、第１の測定情報は、チャネル品質インジケータ（ＣＱＩ）を含むか；または、第１の測定情報は、ＣＱＩと、以下のもの、すなわち、階数およびプリコーディング行列インジケータ（ＰＭＩ）のうちの少なくとも１つを含む。
【００１１】
第１の態様を参照して、第５の可能な実施方式では、ｍ個のビームにおける各ビームのアップリンク受信電力に従って、ｍ個のビームからｎ個のビームを選択することは：ｍ個のビームにおける各ビームのアップリンク受信電力に従って、ｑ個のビームグループの各々におけるビームのアップリンク受信電力の和を決定することであって、ここで、ｑ個のビームグループは、ｍ個のビームをグループ化することによって得られ、各ビームグループはｎ個のビームを含むことと；ｑ個のビームグループからビームグループを選択することであって、ここで、選択されたビームグループ内のビームのアップリンク受信電力の和は、ｑ個のビームグループにおける最大のものであることとを含む。
【００１２】
第１の態様の第５の可能な実施方式を参照して、第６の可能な実施方式では、選択されたビームグループ内のｎ個のビームは、ｎ個のタイプのパイロット信号構成に対し１対１の対応関係にあり、パイロット信号構成は、パイロット信号によって占有される時間−周波数リソースのために別個に用いられ；
ｎ個のビームを用いることによってパイロット信号をＵＥに送信することは：選択されたビームグループ内のｎ個のビームを用いることによって、ｎ個のタイプのパイロット信号構成に従ってパイロット信号をＵＥに別個に送信することを含む。
【００１３】
第１の態様の第６の可能な実施方式を参照して、第７の可能な実施方式では、選択されたビームグループ内のｎ個のビームを用いることによって、ｎ個のタイプのパイロット信号構成に従ってパイロット信号をＵＥに別個に送信することの前に、本方法は：ＵＥに第２のシグナリングを送信することであって、ここで、第２のシグナリングは、ｎ個のタイプのパイロット信号構成と、パイロット信号を送信するための開始時間および送信間隔とを示すのに用いられることをさらに含む。
【００１４】
第１の態様の第７の可能な実施方式を参照して、第８の可能な実施方式では、選択されたビームグループ内のｎ個のビームを用いることによってｎ個のタイプのパイロット信号構成に従ってパイロット信号をＵＥに別個に送信した後に、本方法は：ＵＥから第２の測定情報を受信することであって、ここで、第２の測定情報は、ＵＥが第２のシグナリングに従ってパイロット信号を測定した後にＵＥによって得られるｎ個の測定結果を含むことと；選択されたビームグループおよび第２の測定情報に従って、ＵＥに対応するデータ送信ビームを決定することと；データ送信ビームを用いることによってデータをＵＥに送信することとをさらに含む。
【００１５】
第１の態様の第８の可能な実施方式を参照して、第９の可能な実施方式では、選択されたビームグループおよび第２の測定情報に従って、ＵＥに対応するデータ送信ビームを決定することは：ｎ個の測定結果に別個に対応するスペクトル効率を決定することと；ｎ個の測定結果に別個に対応するスペクトル効率に従って、ｎ個の測定結果における最適な測定結果を決定することであって、ここで、ｎ個の測定結果における最適な測定結果に対応するスペクトル効率は、最大のものであることと；最適な測定結果および選択されたビームグループに従ってデータ送信ビームを決定することとを含む。
【００１６】
第１の態様の第８の可能な実施方式または第９の可能な実施方式を参照して、第１０の可能な実施方式では、ｎ個の測定結果における各測定結果はチャネル品質インジケータ（ＣＱＩ）を含むか；または、各測定結果は、ＣＱＩと、以下のもの、すなわち階数およびプリコーディング行列インジケータ（ＰＭＩ）のうちの少なくとも１つを含む。
【００１７】
第１の態様、または第１の態様の第１の可能な実施方式から第１０の可能な実施方式のうちの任意の方式を参照して、第１１の可能な実施方式では、パイロット信号は、チャネル状態情報−基準信号（ＣＳＩ−ＲＳ）である。
【００１８】
第２の態様によれば、ｎ個のビームを用いることによって基地局により送信されるパイロット信号を受信することであって、ここで、ｎ個のビームは、ｍ個の形成されたビームから、ｍ個のビームにおける各ビームのアップリンク受信電力に従って基地局によって選択され、ｍは１よりも大きい正の整数であり、ｎは正の整数であり、ｎ＜ｍであることと；パイロット信号を測定することとを含む通信方法が提供される。
【００１９】
第２の態様を参照して、第１の可能な実施方式では、ｎ個のビームを用いることによって基地局により送信されるパイロット信号を受信することは：最適ビームを用いることによって基地局により送信されるパイロット信号を受信することであって、ここで、最適ビームのアップリンク受信電力は、ｍ個のビームにおける最大のものであることを含む。
【００２０】
第２の態様の第１の可能な実施方式を参照して、第２の可能な実施方式では、最適ビームを用いることによって基地局により送信されるパイロット信号を受信することの前に、本方法は：基地局によって送信される第１のシグナリングを受信することであって、ここで、第１のシグナリングは、最適ビームに対応するパイロット信号構成と、パイロット信号を送信するための開始時間および送信間隔とを示すのに用いられ、パイロット信号構成は、パイロット信号によって占有される時間−周波数リソースを示すのに用いられることを含み、ここで、
パイロット信号を測定することは：第１のシグナリングに従ってパイロット信号を測定し、第１の測定情報を得ることを含む。
【００２１】
第２の態様の第２の可能な実施方式を参照して、第３の可能な実施方式では、本方法は：第１の測定情報を基地局に送信することと；最適ビームを用いることによって第１の測定情報に従って基地局によって送信されるデータを受信することとをさらに含む。
【００２２】
第２の態様の第２の可能な実施方式または第３の可能な実施方式を参照して、第４の可能な実施方式では、第１の測定情報はチャネル品質インジケータ（ＣＱＩ）を含むか；または、第１の測定情報は、ＣＱＩと、以下のもの、すなわち階数およびプリコーディング行列インジケータ（ＰＭＩ）のうちの少なくとも１つを含む。
【００２３】
第２の態様を参照して、第５の可能な実施方式では、ｎ個のビームを用いることによって基地局により送信されるパイロット信号を受信することは：ビームグループ内のｎ個のビームを用いることによって基地局により別個に送信されるパイロット信号を受信することであって、ここで、ビームグループは、ｍ個のビームをグループ化することによって基地局により得られるｑ個のビームグループから選択され、各ビームグループはｎ個のビームを含み、ｑ個のビームグループの各々におけるビームのアップリンク受信電力の和は、最大のものであることを含む。
【００２４】
第２の態様の第５の可能な実施方式を参照して、第６の可能な実施方式では、ビームグループ内のｎ個のビームは、ｎ個のタイプのパイロット信号構成と１対１の対応関係にあり、パイロット信号構成は、パイロット信号によって占有される時間−周波数リソースを示すのに用いられ；
ビームグループ内のｎ個のビームを用いることによって基地局により送信されるパイロット信号を受信することは：ビームグループ内のｎ個のビームを用いることによってｎ個のタイプのパイロット構成に従って基地局により別個に送信されるパイロット信号を受信することを含む。
【００２５】
第２の態様の第６の可能な実施方式を参照して、第７の可能な実施方式では、ビームグループ内のｎ個のビームを用いることによってｎ個のタイプのパイロット構成に従って基地局により別個に送信されるパイロット信号を受信することの前に、本方法は：基地局によって送信される第２のシグナリングを受信することであって、第２のシグナリングは、ｎ個のタイプのパイロット信号構成と、パイロット信号を送信するための開始時間および送信間隔とを示すのに用いられることを含み、ここで、
パイロット信号を測定することは：第２のシグナリングに従ってパイロット信号を測定し、ｎ個の測定結果を得ることを含む。
【００２６】
第２の態様の第７の可能な実施方式を参照して、第８の可能な実施方式では、本方法は：第２の測定情報を基地局に送信することであって、ここで、第２の測定情報はｎ個の測定結果を含むことと；データ送信ビームを用いることによって基地局により送信されるデータを受信することであって、ここで、データ送信ビームは、ビームグループおよび第２の測定情報に従って基地局によって決定されることとをさらに含む。
【００２７】
第２の態様の第７の可能な実施方式または第８の可能な実施方式を参照して、第９の可能な実施方式では、ｎ個の測定結果における各測定情報はチャネル品質インジケータ（ＣＱＩ）を含むか；または、各測定結果は、ＣＱＩと、以下のもの、すなわち階数およびプリコーディング行列インジケータ（ＰＭＩ）のうちの少なくとも１つを含む。
【００２８】
第２の態様、または第２の態様の第１の可能な実施方式から第９の可能な実施方式のうちの任意の方式を参照して、第１０の可能な実施方式では、パイロット信号は、チャネル状態情報−基準信号（ＣＳＩ−ＲＳ）である。
【００２９】
第３の態様によれば、アンテナ重み付けの方式を用いることによって、ｍ個のビームを形成するように構成された重み付けユニットであって、ここで、ｍは１よりも大きい正の整数である、重み付けユニットと；ユーザ機器ＵＥのアップリンクサウンディング信号に従って、ｍ個のビームにおける各ビームのアップリンク受信電力を決定するように構成された第１の決定ユニットと；ｍ個のビームにおける各ビームのアップリンク受信電力に従って、ｍ個のビームからｎ個のビームを選択するように構成された選択ユニットであって、ここで、ｎは正の整数であり、ｎ＜ｍである、選択ユニットと；ｎ個のビームを用いることによってパイロット信号をＵＥに送信するように構成された送信ユニットを含む基地局が提供される。
【００３０】
第３の態様を参照して、第１の可能な実施方式では、選択ユニットは、ｍ個のビームから最適ビームを選択するように特に構成され、ここで、最適ビームのアップリンク受信電力は、ｍ個のビームにおける最大のものであり；送信ユニットは、最適ビームを用いることによってパイロット信号をＵＥに送信するように特に構成される。
【００３１】
第３の態様の第１の可能な実施方式を参照して、第２の可能な実施方式では、送信ユニットは、最適ビームを用いることによってパイロット信号をＵＥに送信する前に、第１のシグナリングをＵＥに送信するようにさらに構成され、ここで、第１のシグナリングは、最適ビームに対応するパイロット信号構成と、パイロット信号を送信するための開始時間および送信間隔を示すのに用いられ、パイロット信号構成は、パイロット信号によって占有される時間−周波数リソースを示すのに用いられる。
【００３２】
第３の態様の第２の可能な実施方式を参照して、第３の可能な実施方式では、基地局は第１の受信ユニットをさらに備え、ここで、第１の受信ユニットは、送信ユニットが最適ビームを用いることによってパイロット信号をＵＥに送信した後、ＵＥから第１の測定情報を受信するように構成され、ここで、第１の測定情報は、ＵＥが第１のシグナリングに従ってパイロット信号を測定した後にＵＥによって得られ；送信ユニットは、最適ビームを用いることによって、第１の測定情報に従ってデータをＵＥに送信するようにさらに構成される。
【００３３】
第３の態様を参照して、第４の可能な実施方式では、選択ユニットは、ｍ個のビームにおける各ビームのアップリンク受信電力に従って、ｑ個のビームグループの各々におけるビームのアップリンク受信電力の和を決定するように特に構成され、ここで、ｑ個のビームグループは、ｍ個のビームをグループ化することによって得られ、各ビームグループはｎ個のビームを含み；ｑ個のビームグループからビームグループを選択するように特に構成され、ここで、選択されたビームグループ内のビームのアップリンク受信電力の和は、ｑ個のビームグループにおける最大のものである。
【００３４】
第３の態様の第４の可能な実施方式を参照して、第５の可能な実施方式では、選択されたビームグループ内のｎ個のビームは、ｎ個のタイプのパイロット信号構成と１対１の対応関係にあり、パイロット信号構成は、パイロット信号によって占有される時間−周波数リソースのために別個に用いられ；送信ユニットは、選択されたビームグループ内のｎ個のビームを用いることによって、ｎ個のタイプのパイロット信号構成に従ってパイロット信号をＵＥに別個に送信するように特に構成される。
【００３５】
第３の態様の第５の可能な実施方式を参照して、第６の可能な実施方式では、送信ユニットは、選択されたビームグループ内のｎ個のビームを用いることによって、ｎ個のタイプのパイロット信号構成に従ってパイロット信号をＵＥに別個に送信する前に、ＵＥに第２のシグナリングをさらに送信するようにさらに構成され、ここで、第２のシグナリングは、ｎ個のタイプのパイロット信号構成と、パイロット信号を送信するための開始時間および送信間隔とを示すのに用いられる。
【００３６】
第３の態様の第６の可能な実施方式を参照して、第７の可能な実施方式では、基地局は、第２の受信ユニットおよび第２の決定ユニットをさらに含み、ここで、第２の受信ユニットは：送信ユニットが、選択されたビームグループ内のｎ個のビームを用いることによってｎ個のタイプのパイロット信号構成に従ってパイロット信号をＵＥに別個に送信した後に、ＵＥから第２の測定情報を受信するように構成され、ここで、第２の測定情報は、ＵＥが第２のシグナリングに従ってパイロット信号を測定した後にＵＥによって得られるｎ個の測定結果を含み；第２の決定ユニットは、選択されたビームグループおよび第２の測定情報に従って、ＵＥに対応するデータ送信ビームを決定するようにさらに構成され；送信ユニットは、データ送信ビームを用いることによってデータをＵＥに送信するようにさらに構成される。
【００３７】
第３の態様の第７の可能な実施方式を参照して、第８の可能な実施方式では、第２の決定ユニットは、ｎ個の測定結果に別個に対応するスペクトル効率を決定するように特に構成され；ｎ個の測定結果に別個に対応するスペクトル効率に従って、ｎ個の測定結果における最適な測定結果を決定するように特に構成され、ここで、ｎ個の測定結果における最適な測定結果に対応するスペクトル効率は、最大のものであり；最適な測定結果および選択されたビームグループに従ってデータ送信ビームを決定するように特に構成される。
【００３８】
第４の態様によれば、ｎ個のビームを用いることによって基地局により送信されるパイロット信号を受信するように構成された受信ユニットであって、ここで、ｎ個のビームは、ｍ個の形成されたビームから、ｍ個のビームにおける各ビームのアップリンク受信電力に従って基地局によって選択され、ｍは１よりも大きい正の整数であり、ｎは正の整数であり、ｎ＜ｍである、受信ユニットと；パイロット信号を測定するように構成された測定ユニットを含むユーザ機器が提供される。
【００３９】
第４の態様を参照して、第１の可能な実施方式では、受信ユニットは、最適ビームを用いることによって基地局により送信されるパイロット信号を受信するように特に構成され、ここで、最適ビームのアップリンク受信電力は、ｍ個のビームにおける最大のものである。
【００４０】
第４の態様の第１の可能な実施方式を参照して、第２の可能な実施方式では、受信ユニットは、最適ビームを用いることによって基地局により送信されるパイロット信号を受信する前に、基地局によって送信される第１のシグナリングを受信するようにさらに構成され、ここで、第１のシグナリングは、最適ビームに対応するパイロット信号構成と、パイロット信号を送信するための開始時間および送信間隔とを示すのに用いられ、パイロット信号構成は、パイロット信号によって占有される時間−周波数リソースを示すのに用いられ；測定ユニットは、第１のシグナリングに従ってパイロット信号を測定し、第１の測定情報を得るように特に構成される。
【００４１】
第４の態様の第２の可能な実施方式を参照して、第３の可能な実施方式では、ユーザ機器は送信ユニットをさらに含み、ここで、送信ユニットは、第１の測定情報を基地局に送信するように構成され；受信ユニットは、最適ビームを用いることによって、第１の測定情報に従って基地局によって送信されるデータを受信するようにさらに構成される。
【００４２】
第４の態様を参照して、第４の可能な実施方式では、受信ユニットは、ビームグループ内のｎ個のビームを用いることによって基地局により別個に送信されるパイロット信号を受信するように特に構成され、ここで、ビームグループは、ｍ個のビームをグループ化することによって基地局により得られるｑ個のビームグループから選択され、各ビームグループはｎ個のビームを含み、ｑ個のビームグループの各々におけるビームのアップリンク受信電力の和は、最大のものである。
【００４３】
第４の態様の第４の可能な実施方式を参照して、第５の可能な実施方式では、ビームグループ内のｎ個のビームは、ｎ個のタイプのパイロット信号構成と１対１の対応関係にあり、パイロット信号構成は、パイロット信号によって占有される時間−周波数リソースを示すのに用いられ；受信ユニットは、ビームグループ内のｎ個のビームを用いることによってｎ個のタイプのパイロット構成に従って基地局により別個に送信されるパイロット信号を受信するように特に構成される。
【００４４】
第４の態様の第５の可能な実施方式を参照して、第６の可能な実施方式では、受信ユニットは、ビームグループ内のｎ個のビームを用いることによってｎ個のタイプのパイロット構成に従って基地局により別個に送信されるパイロット信号を受信する前に、基地局によって送信される第２のシグナリングを受信するようにさらに構成され、ここで、第２のシグナリングは、ｎ個のタイプのパイロット信号構成と、パイロット信号を送信するための開始時間および送信間隔とを示すのに用いられ；測定ユニットは、第２のシグナリングに従ってパイロット信号を測定し、ｎ個の測定結果を得るように特に構成される。
【００４５】
第４の態様の第６の可能な実施方式を参照して、第７の可能な実施方式では、ユーザ機器は送信ユニットをさらに含み、ここで、送信ユニットは、第２の測定情報を基地局に送信するように構成され、ここで、第２の測定情報はｎ個の測定結果を含み；受信ユニットは、データ送信ビームを用いることによって基地局により送信されるデータを受信するようにさらに構成され、ここで、データ送信ビームは、ビームグループおよび第２の測定情報に従って基地局によって決定される。
【００４６】
本発明の実施形態では、ｍ個のビームにおける各ビームのアップリンク受信電力は、ＵＥのアップリンクサウンディング信号に従って決定され、全てのビームを用いることによってパイロット信号をＵＥに送信するのではなく、ｍ個のビームにおける各ビームのアップリンク受信電力に従って、パイロット信号をＵＥに送信するためのｎ個のビームがｍ個のビームから選択され、それによって、ＵＥのためにパイロット信号を構成する柔軟性を改善し、ＵＥによってパイロット信号を測定する複雑度を低減する。
【図面の簡単な説明】
【００４７】
本発明の実施形態における技術的解決策をより明確に説明するために、以下において、本発明の実施形態を説明するために必要な添付の図面を簡単に紹介する。明らかに、以下の説明における添付の図面は、本発明のいくつかの実施形態を示すにすぎず、当業者は、これらの添付の図面から、創造的な取組みなしで他の図面を尚も導出することができる。
【００４８】
【図１】本発明の実施形態による通信方法の概略フローチャート図である。
【図２】本発明の別の実施形態による通信方法の概略フローチャート図である。
【図３】本発明の実施形態が適用可能であるシナリオの例の概略図である。
【図４】本発明の実施形態が適用可能であるシナリオの別の例の概略図である。
【図５】本発明の実施形態による基地局の概略ブロック図である。
【図６】本発明の実施形態によるＵＥの概略ブロック図である。
【図７】本発明の別の実施形態による基地局の概略ブロック図である。
【図８】本発明の別の実施形態によるＵＥの概略ブロック図である。
【発明を実施するための形態】
【００４９】
以下において、本発明の実施形態における添付の図面を参照して、本発明の実施形態における技術的解決策を明確に且つ完全に説明する。明らかに、説明される実施形態は、本発明の実施形態の全てではなく一部である。当業者によって本発明の実施形態に基づいて創造的な取組みなしで得られる全ての他の実施形態が本発明の保護範囲内に入るものとする。
【００５０】
本発明の技術的解決策は、移動通信のためのグローバルシステム（Global System of Mobile communications、ＧＳＭ（登録商標））、符号分割多元接続（Code Division Multiple Access、ＣＤＭＡ）システム、広帯域符号分割多元接続（Wideband Code Division Multiple Access、ＷＣＤＭＡ（登録商標））、汎用パケット無線サービス（General Packet Radio Service、ＧＰＲＳ）およびロングタームエボリューション（Long Term Evolution、ＬＴＥ）等の様々な通信システムに適用され得る。
【００５１】
ユーザ機器（User Equipment、ＵＥ）は、モバイル端末（Mobile Terminal、ＭＴ）、モバイルユーザ機器等とも呼ばれ得る。ユーザ機器は、無線アクセスネットワーク（例えば、Radio Access Network、ＲＡＮ）を介して１または複数のコアネットワークと通信することができる。ユーザ機器は、モバイルフォン（または「セルラ」フォンと呼ばれる）等のモバイル端末、またはモバイル端末を有するコンピュータである場合があり、例えば、それは、ポータブルモバイル装置、ポケットサイズのモバイル装置、ハンドヘルドモバイル装置、コンピュータに内蔵されたモバイル装置、または車両に搭載されたモバイル装置である場合がある。
【００５２】
基地局は、ＧＳＭまたはＣＤＭＡにおける基地局（ベーストランシーバ基地局、Base Transceiver Station、ＢＴＳ）である場合があり、ＷＣＤＭＡにおける基地局（ＮｏｄｅＢ）である場合があり、さらに、ＬＴＥにおける発展型基地局（evolved NodeB、ｅＮＢまたはｅ−ＮｏｄｅＢ）である場合がある。これは、本発明において制限されていない。
【００５３】
図１は、本発明の実施形態による通信方法の概略フローチャート図である。図１における方法は、基地局によって実行される。
【００５４】
１１０：アンテナ重み付けの方式を用いることによってｍ個のビームを形成する。ここで、ｍは１よりも大きい正の整数である。
【００５５】
例えば、アクティブアンテナシステム（Active Antenna System、ＡＡＳ）において、基地局は、アンテナ重み付けの方式を用いることによって、異なる方向を有するｍ個のビームを形成することができる。
【００５６】
各ビームは、１または複数のポートに対応することができる。例えば、アンテナが単一の偏波アンテナである状況において、各ビームは１つのポートに対応することができ、このとき、ｍ個のビームはｍ個のポートに対応することができる。アンテナが交差偏波アンテナである状況では、各ビームは２つのポートに対応することができ、ｍ個のビームがｍ×２個のポートに対応することができる。
【００５７】
１２０：ＵＥのアップリンクサウンディング信号に従って、ｍ個のビームにおける各ビームのアップリンク受信電力を決定する。
【００５８】
例えば、基地局は、各ビームに対応するポートを通じてＵＥのアップリンクサウンディング（Sounding）信号を受信し、各ビームに対応するポートを通じて受信されるアップリンクサウンディング信号に従ってビームのアップリンク受信電力を決定することができる。
【００５９】
１３０：ｍ個のビームにおける各ビームのアップリンク受信電力に従って、ｍ個のビームからｎ個のビームを選択する。ここで、ｎは正の整数であり、ｎ＜ｍである。
【００６０】
例えば、基地局は、ビームのアップリンク受信電力の値を比較することによって、ｍ個のビームからｎ個のビームを選択することができる。
【００６１】
１４０：ｎ個のビームを用いることによって、パイロット信号をＵＥに送信する。
【００６２】
特に、基地局は、ｎ個のビームに別個に対応するポートを用いることによって、パイロット信号をＵＥに送信することができる。
【００６３】
既存のパイロット信号設計解決策が採用される場合、すなわち、パイロット信号が各ポートにおいてマッピングされる場合、基地局は、ｍ個のビームに対応する全てのポートを用いることによって、パイロット信号をＵＥに送信する必要があり、結果として、基地局がＵＥのためにパイロット信号を構成するときの柔軟性が乏しくなる。これに対応して、ＵＥが、ｍ個のビームの全てのポートを用いることによって送信されるパイロット信号を測定することが必要であり、測定複雑度が高い。一方、本発明の実施形態では、基地局は、ＵＥのアップリンクサウンディング信号に従って、ｍ個のビームの各々のアップリンク受信電力を決定し、ｍ個のビームのアップリンク受信電力に従って、ｍ個のビームにおけるｎ個のビームに別個に対応するポートを選択し、パイロット信号をＵＥに送信し、それによって、基地局によってＵＥのためにパイロット信号を構成する柔軟性を実質的に改善する。さらに、ｎはｍ未満であるため、ＵＥが、全てのビームにおいて送信されたパイロット信号を測定することは不要であり、それによって測定複雑度を低減する。
【００６４】
本発明の実施形態では、ｍ個のビームにおける各ビームのアップリンク受信電力が、ＵＥのアップリンクサウンディング信号に従って決定され、全てのビームを用いることによってパイロット信号をＵＥに送信するのではなく、ｍ個のビームにおける各ビームのアップリンク受信電力に従って、パイロット信号をＵＥに送信するためのｎ個のビームがｍ個のビームから選択され、それによって、ＵＥのためにパイロット信号を構成する柔軟性を改善し、ＵＥによってパイロット信号を測定する複雑度を低減する。
【００６５】
さらに、大規模アンテナシステムの場合、例えば、ｍ個のビームに対応するポート数が８よりも大きいとき、既存のパイロット信号設計解決策は、これほど多くのポートをサポートすることができない。したがって、本発明の実施形態では、ｍ個のビームにおける各ビームのアップリンク受信電力に従って、ｍ個のビームからｎ個のビームが選択され、全てのビームを用いることによってパイロット信号をＵＥに送信するのではなく、ｎ個のビームを用いることによってパイロット信号がＵＥに送信され、これによって、大規模アンテナシステムにおけるパイロット信号送信を実施する。
【００６６】
上記のパイロット信号は、チャネル測定のためにのみ用いられるパイロット信号であり得る。このタイプのパイロット信号の場合、基地局がパイロット信号を無指向性に送信することは不要であり、したがって、パイロット信号は、ビームのうちの１つまたは複数を用いることによって送信され得る。オプションで、実施形態として、パイロット信号は、チャネル状態情報−基準信号（Channel State Information-Reference Signal、ＣＳＩ−ＲＳ）であり得る。
【００６７】
オプションで、別の実施形態として、ステップ１２０において、基地局は、統計収集期間の後に各ビームのアップリンク受信電力を得ることができる。例えば、基地局は、時間領域カウンタをセットし、時間領域フィルタリングのためのウィンドウ長において、各ビームのアップリンク受信電力に関する統計を収集することができる。特に、各ビームのアップリンク受信電力は、各ビームの平均アップリンク受信電力によって置き換えられ得る。
【００６８】
詳細には、基地局は、以下のステップに従って、各ビームの平均アップリンク受信電力を決定することができる：
【００６９】
Ａ）基地局は、ｍ個のビームに対応する全てのポートを用いることによって、ＵＥのアップリンクサウンディング信号を受信することができる。基地局は、アップリンクサウンディング信号に基づいてポートごとのチャネル推定を行い、各ポートに対応する、サブキャリアにおけるチャネル係数を決定することができる。例えば、ｍ個のビームにおけるｉ番目のビームに対応するｊ番目のポートの場合、サブキャリアｋにおける推定によって得られるチャネル係数は、ｈi,j,kであり得る。
【００７０】
Ｂ）基地局は、全てのポートおよび全てのサブキャリアにおける各ビームのチャネル係数の平均電力を計算することができる。
【００７１】
例えば、ｉ番目のビームの平均アップリンク受信電力は、
【００７２】
【数１】
0006306692.tif 000002
【００７３】
である。ここで、Ｎportはｍ個のビームに対応する全てのポートの数を表すことができ、Ｎsubcarrierは全てのサブキャリアの数を表すことができる。
【００７４】
Ｃ）基地局は、時間領域における各ビームの平均アップリンク受信電力をフィルタリングすることができる。これに対応して、時間領域カウンタが１加算される。
【００７５】
Ｄ）基地局は、時間領域カウンタが、時間領域フィルタリングのためのウィンドウ長に達するか否かを決定することができる。時間領域カウンタが時間領域フィルタリングのためのウィンドウ長に達しない場合、基地局は上記のステップＡ）を実行することに戻る。
【００７６】
時間領域カウンタが、時間領域フィルタリングのためのウィンドウ長に達する場合、期間内のｍ個のビームの平均アップリンク受信電力が、ステップ１３０において処理するためのｍ個のビームのアップリンク受信電力としてそれぞれ用いられ得る。
【００７７】
基地局は、ｍ個のビームのアップリンク受信電力に基づいて、ｍ個のビームから、パイロット信号をＵＥに送信するための１または複数のビームを選択することができる。基地局が、ｍ個のビームから、パイロット信号をＵＥに送信するための１つのビームを選択するプロセスは、以下で詳細に説明される。
【００７８】
オプションで、別の実施形態として、ステップ１３０において、基地局はｍ個のビームから最適ビームを選択する。ここで、最適ビームのアップリンク受信電力は、ｍ個のビームにおける最大のものである。これに対応して、ステップ１４０において、基地局は、最適ビームを用いることによってパイロット信号をＵＥに送信することができる。
【００７９】
特に、基地局は、ｍ個のビームから最大のアップリンク受信電力を有するビームを最適ビームとして選択することができる。例えば、基地局は、最大の平均アップリンク受信電力を有する最適ビームを選択するために、ｍ個のビームの平均アップリンク受信電力を比較することができる。次に、基地局は、最適ビームを用いることによって、パイロット信号をＵＥに送信する。見てとることができるように、この実施形態において、基地局は、全てのビームを用いることによってパイロット信号を送信するのではなく、ｍ個のビームにおける１つのビームを用いることによってパイロット信号をＵＥに送信し、それによって、パイロット信号のオーバヘッドを低減する。
【００８０】
オプションで、別の実施形態として、最適ビームを用いることによってパイロット信号をＵＥに送信する前に、基地局は、第１のシグナリングをＵＥに送信することができ、ここで、第１のシグナリングは、最適ビームに対応するパイロット信号構成と、パイロット信号を送信するための開始時間および送信間隔とを示すのに用いられ、パイロット信号構成は、パイロット信号によって占有される時間−周波数リソースを示すのに用いられる。
【００８１】
基地局によってサービス提供されている各ＵＥがビームを区別することを可能にするために、基地局は、ビームに対し異なるパイロット信号構成を別個に用いて、パイロット信号を送信することができる。パイロット信号構成は、パイロット信号によって占有される時間−周波数リソースを示す。したがって、あるビームを用いることによって基地局によって送信されるパイロット信号は、別のビームを用いることによって送信されるパイロット信号によって占有される時間−周波数リソースと異なる時間−周波数リソースを占有する。
【００８２】
一方、各サブフレームによってサポートされるパイロット信号構成数は制限される。ｍが、各サブフレームによってサポートされるパイロット信号構成数よりも大きいとき、ビームに対応するパイロット信号構成を区別するのに異なるサブフレームが用いられ、それによって、ビームに対応するパイロット信号構成が互いに異なることを確実にする。例えば、現在の規格において、各ビームが２つのポートに対応する状況の場合、各サブフレームは最大で２０タイプのＣＳＩ−ＲＳ構成をサポートする。ｍが２０よりも大きく、例えば、ｍが２４であるとき、基地局は、２４個のビームを用いることによって、２つのサブフレームにおいてＣＳＩ−ＲＳを別個に送信することができる。例えば、パイロット信号の送信間隔が１０ｍｓであることが想定され、通例、１サブフレームは１ｍｓであり、すなわち、パイロット信号の送信間隔は１０個のサブフレームである。上記で説明したように、パイロット信号は、各間隔において２つのサブフレームを用いることによって送信されることができ、このとき、パイロット信号を送信するためのサブフレームは、サブフレーム１、２、１１、１２、２１、２２等であり得る。詳細には、第１の間隔において、基地局は、２０個のビームを用いることによって、サブフレーム１においてＣＳＩ−ＲＳを送信することができ、残りの４つのビームを用いることによって、サブフレーム２においてＣＳＩ−ＲＳを送信することができる。次の間隔において、基地局は、２０個のビームを用いることによって、サブフレーム１１においてＣＳＩ−ＲＳを送信することができ、４つのビームを用いることによって、サブフレーム１２においてＣＳＩ−ＲＳを送信することができ、以下同様である。
【００８３】
パイロット信号をＵＥに送信する前に、基地局は、ＵＥに、パイロット信号によって占有される時間−周波数リソースと、パイロット信号を送信するための開始時間および送信間隔とを通知する必要がある。詳細には、基地局は、第１のシグナリングを用いて、最適ビームに対応するパイロット信号構成と、パイロット信号を送信するための開始時間および送信間隔とをＵＥに示すことができる。第１のシグナリングは、上位層シグナリング（high-layer signaling）であり得る。このようにして、ＵＥは、送信間隔に従って、上記の開始時間からパイロット信号構成によって示される時間−周波数リソースにおいてパイロット信号を測定することができる。
【００８４】
オプションで、別の実施形態として、基地局は、最適ビームを用いることによって、パイロット信号をＵＥに送信した後、ＵＥから第１の測定情報をさらに受信することができる。ここで、第１の測定情報は、ＵＥが第１のシグナリングに従ってパイロット信号を測定した後にＵＥによって得られる。次に、基地局は、最適ビームを用いることによって、第１の測定情報に従ってＵＥにデータを送信することができる。
【００８５】
基地局は、最適ビームを、ＵＥに対応するデータ送信ビームとして用い、最適ビームを用いることによって第１の測定情報に基づいてＵＥにデータを送信することができる。
【００８６】
オプションで、別の実施形態として、第１の測定情報はチャネル品質インジケータ（Channel Quality Indicator、ＣＱＩ）を含むことができる。
【００８７】
オプションで、別の実施形態として、第１の測定情報は、ＣＱＩと、以下のもの、すなわち、階数（rank）およびプリコーディング行列インジケータ（Precoding Matrix Indicator、ＰＭＩ）のうちの少なくとも１つを含むことができる。例えば、ＵＥは、送信モードに従って、測定情報が階数またはＰＭＩを含むことを可能にするか否かを決定することができる。
【００８８】
上記の説明では、基地局は、ｍ個のビームから、パイロット信号をＵＥに送信するための１つのビームを選択する。さらに、基地局は、ｍ個のビームから、パイロット信号をＵＥに送信するための複数のビームを選択することもでき、プロセスは以下で詳細に説明される。
【００８９】
オプションで、別の実施形態として、ステップ１３０において、基地局は、ｍ個のビームにおける各ビームのアップリンク受信電力に従って、ｑ個のビームグループの各々におけるビームのアップリンク受信電力の和を決定することができる。ここで、ｑ個のビームグループは、ｍ個のビームをグループ化することによって得られ、各ビームグループはｎ個のビームを含む。基地局は、ｑ個のビームグループからビームグループを選択することができ、ここで、選択されたビームグループ内のビームのアップリンク受信電力の和は、ｑ個のビームグループにおける最大のものである。
【００９０】
詳細には、基地局は、ｍ個のビームをｑ個のビームグループにグループ化することができる。ここで、各ビームグループはｎ個のビームを含む。基地局は、ビームの方向に従ってビームをグループ化し、グループ間の空間間隔を十分大きくすることができる。グループ間の空間間隔は、実際の要件に従って決定されることができ、例えば、パイロット信号の送信性能およびオーバヘッドに従って決定されることができる。
【００９１】
基地局は、ｑ個のビームグループの各々におけるビームのアップリンク受信電力の和を計算することができる。例えば、基地局は、各ビームグループ内のｎ個のビームの平均アップリンク受信電力を合算し、各グループ内のビームのアップリンク受信電力の和を得ることができる。基地局は、ビームグループのアップリンク受信電力の和を比較し、アップリンク受信電力の最も大きな和を有するビームグループを選択することができる。見てわかるように、基地局は、全てのビームを用いることによってパイロット信号を送信するのではなく、ビームグループから１つのビームグループを選択して、パイロット信号をＵＥに送信し、これによってパイロット信号のオーバヘッドを節減する。
【００９２】
オプションで、別の実施形態として、選択されたビームグループ内のｎ個のビームは、ｎ個のタイプのパイロット信号構成に対し１対１の対応関係にあり、ｎ個のタイプのパイロット信号構成は、パイロット信号によって占有される時間−周波数リソースを示すのに別個に用いられる。ステップ１４０において、基地局は、選択されたビームグループ内のｎ個のビームを用いることによって、ｎ個のタイプのパイロット信号構成に従ってパイロット信号をＵＥに別個に送信することができる。
【００９３】
詳細には、基地局は、このビームグループ内のｎ個のビームを、ｎ個のタイプのパイロット信号構成によって示される時間−周波数リソースに対し別個に用いることによって、ｎ個のタイプのパイロット信号をＵＥに送信することができる。
【００９４】
オプションで、別の実施形態として、選択されたビームグループ内のｎ個のビームを用いることによって、ｎ個のタイプのパイロット信号構成に従ってパイロット信号をＵＥに別個に送信する前に、基地局はＵＥに第２のシグナリングを送信することができる。ここで、第２のシグナリングは、ｎ個のタイプのパイロット信号構成と、パイロット信号を送信するための開始時間および送信間隔とを示すのに用いられ得る。
【００９５】
基地局によってサービス提供されている各ＵＥがビームを区別することを可能にするために、基地局は、ビームに対し異なるパイロット信号構成を別個に用いてパイロット信号を送信することができる。パイロット信号構成は、パイロット信号によって占有される時間−周波数リソースを示す。したがって、ビームを用いることによって基地局によって送信されるパイロット信号は、別のビームを用いることによってパイロット信号によって占有される時間−周波数リソースと異なる時間−周波数リソースを占有する。
【００９６】
一方、各サブフレームによってサポートされるパイロット信号構成数は制限される。ｍが、各サブフレームによってサポートされるパイロット信号構成数よりも大きい場合、ビームに対応するパイロット信号構成を区別するのに異なるサブフレームが用いられ、それによって、ビームに対応するパイロット信号構成が互いに異なることを確実にされる。例えば、現在の規格において、各ビームが２つのポートに対応する状況の場合、各サブフレームは最大で２０タイプのＣＳＩ−ＲＳ構成をサポートする。ｍが２０よりも大きく、例えばｍが２４であるとき、２４個のビームが４つのグループにグループ化されることが想定され、基地局は、これらの４つのビームグループを用いることによって、２つのサブフレームにおいてＣＳＩ−ＲＳを別個に送信することができる。例えば、パイロット信号の送信間隔が１０ｍｓ、すなわち１０個のサブフレームであることが想定される。パイロット信号は、各間隔において２つのサブフレームを用いることによって送信することができる。このとき、パイロット信号を送信するためのサブフレームは、サブフレーム１、２、１１、１２、２１、２２等であり得る。詳細には、第１の間隔において、基地局は、第１のビームグループおよび第２のビームグループを用いることによって、サブフレーム１においてＣＳＩ−ＲＳを送信することができ、第３のビームグループおよび第４のビームグループを用いることによってサブフレーム２においてＣＳＩ−ＲＳを送信することができる。次の間隔において、基地局は、第１のビームグループおよび第２のビームグループを用いることによって、サブフレーム１１においてＣＳＩ−ＲＳを送信することができ、第３のビームグループおよび第４のグループを用いることによって、サブフレーム１２においてＣＳＩ−ＲＳを送信することができ、以下同様である。
【００９７】
パイロット信号を送信する前に、基地局は、ＵＥに、各タイプのパイロット信号によって占有される時間−周波数リソースと、パイロット信号を送信するための開始時間および送信間隔とを通知する必要がある。詳細には、基地局は、第２のシグナリングを用いて、ｎ個のタイプのパイロット信号構成、開始時間および送信間隔をＵＥに示すことができる。このようにして、ＵＥは、送信間隔に従って開始時間からｎ個のタイプのパイロット信号構成によって別個に示される時間−周波数リソースにおいてパイロット信号を測定することができる。第２のシグナリングは上位層シグナリングとすることができる。
【００９８】
オプションで、別の実施形態として、選択されたビームグループ内のｎ個のビームを用いることによってｎ個のタイプのパイロット信号構成に従ってパイロット信号をＵＥに送信した後に、基地局はＵＥから第２の測定情報を受信することができる。ここで、第２の測定情報は、ＵＥがｎ個のタイプのパイロット信号構成によって示される時間−周波数リソースにおいてパイロット信号を測定した後にＵＥによって得られるｎ個の測定結果を含む。基地局は、選択されたビームグループおよび第２の測定情報に従って、ＵＥに対応するデータ送信ビームを決定することができる。次に、基地局は、データ送信ビームを用いることによってデータをＵＥに送信することができる。
【００９９】
ｎ個のタイプのパイロット信号構成によって別個に示される時間−周波数リソースは互い違いに配置され、したがって、ＵＥは、ｎ個のタイプのパイロット信号構成によって別個に示される時間−周波数リソースにおいてパイロット信号を測定することができ、それに応じてｎ個の測定結果を得ることができる。
【０１００】
オプションで、別の実施形態として、基地局はスペクトル効率を決定することができ、これらは、ＵＥによって報告され、ｎ個の測定結果に別個に対応する。基地局は、ｎ個の測定結果に別個に対応するスペクトル効率に従って、ｎ個の測定結果における最適な測定結果を決定することができる。ここで、最適な測定結果に対応するスペクトル効率は、ｎ個の測定結果における最大のものである。次に、基地局は、最適な測定結果および選択されたビームグループに従ってデータ送信ビームを決定することができる。
【０１０１】
オプションで、別の実施形態として、ｎ個の測定結果における各測定結果はＣＱＩを含むことができる。あるいは、各測定結果は、ＣＱＩと、以下のもの、すなわち階数およびＰＭＩのうちの少なくとも１つを含むことができる。
【０１０２】
詳細には、基地局は、ＵＥによって報告されるｎ個の測定結果におけるＣＱＩおよび階数に従って、ｎ個の測定結果に別個に対応するスペクトル効率を計算することができる。測定結果が階数を含まない場合、基地局は、デフォルトで階数を階数１にセットし、それによって各測定結果に対応するスペクトル効率を得ることができる。基地局は、ｎ個の測定結果から、最高のスペクトル効率を有する対応する最適な測定結果を選択することができる。各測定結果はパイロット信号構成の１つのタイプに対応し、パイロット信号構成はビームと１対１の対応関係にあるので、各測定結果は１つのビームに対応する。最適な測定結果が決定されると、以下の選択されたビームグループにおいて、最適な測定結果に対応するビームを、ＵＥにデータを送信するためのデータ送信ビームとして決定することができる。
【０１０３】
図２は、本発明の別の実施形態による通信方法の概略フローチャート図である。図２における方法はＵＥによって実行される。
【０１０４】
２１０：ｎ個のビームを用いることによって基地局により送信されるパイロット信号を受信する。ここで、ｎ個のビームは、ｍ個の形成されたビームから、ｍ個のビームにおける各ビームのアップリンク受信電力に従って基地局によって選択され、ｍは１よりも大きい正の整数であり、ｎは正の整数であり、ｎ＜ｍである。
【０１０５】
２２０：パイロット信号を測定する。
【０１０６】
本発明の実施形態において、ｎ個のビームを用いることによって基地局により送信されるパイロット信号が測定され、ｍ個のビームからｎ個のビームが選択され、それによって測定複雑度を低減する。さらに、基地局はｍ個のビームにおけるｎ個のビームを用いることによってパイロット信号を送信し、これによって、ＵＥのためにパイロット信号を構成する柔軟性を改善することができる。
【０１０７】
オプションで、実施形態として、上記のパイロット信号はＣＳＩ−ＲＳであり得る。
【０１０８】
オプションで、別の実施形態として、ステップ２１０において、ＵＥは、最適ビームを用いることによって基地局により送信されるパイロット信号を受信することができる。ここで、最適ビームのアップリンク受信電力は、ｍ個のビームにおける最大のものである。
【０１０９】
オプションで、別の実施形態として、最適ビームを用いることによって基地局により送信されるパイロット信号を受信する前に、ＵＥは基地局によって送信される第１のシグナリングを受信することができる。ここで、第１のシグナリングは、最適ビームに対応するパイロット信号構成と、パイロット信号を送信するための開始時間および送信間隔とを示すのに用いられ、パイロット信号構成は、パイロット信号によって占有される時間−周波数リソースを示すのに用いられる。ステップ２２０において、ＵＥは、第１のシグナリングに従ってパイロット信号を測定し、第１の測定情報を得ることができる。
【０１１０】
詳細には、ＵＥは、送信間隔に従って上記の開始時間から最適ビームに対応するパイロット信号構成によって示される時間−周波数リソースにおいてパイロット信号を測定し、それによって対応する測定情報を得ることができる。
【０１１１】
オプションで、別の実施形態として、ステップ２２０の後、ＵＥは、第１の測定情報を基地局に送信することができ、最適ビームを用いることによって第１の測定情報に従って基地局によって送信されるデータを受信することができる。
【０１１２】
オプションで、別の実施形態として、第１の測定情報はＣＱＩを含むことができる。あるいは、第１の測定情報は、ＣＱＩと、以下のもの、すなわち階数およびＰＭＩのうちの少なくとも１つを含むことができる。
【０１１３】
ＵＥが、１つのビームを用いることによって基地局によって送信されるパイロット信号を受信するプロセスが上記で説明され、データを測定および受信するプロセスも説明される。以下は、ＵＥが、複数のビームを用いることによって基地局により送信されるパイロット信号を受信するプロセスを説明し、データを測定および受信する対応するプロセスを説明する。
【０１１４】
オプションで、別の実施形態として、ステップ２１０において、ＵＥは、ビームグループ内のｎ個のビームを用いることによって基地局により別個に送信されるパイロット信号を受信することができる。ここで、上記のビームグループは、ｍ個のビームをグループ化することによって基地局により得られるｑ個のビームグループから選択され、各ビームグループはｎ個のビームを含み、ビームグループ内のビームのアップリンク受信電力の和は、ｑ個のビームグループにおける最大のものである。
【０１１５】
オプションで、別の実施形態として、上記のビームグループ内のｎ個のビームは、ｎ個のタイプのパイロット信号構成と１対１の対応関係にあり、パイロット信号構成は、パイロット信号によって占有される時間−周波数リソースを示すのに用いられる。ＵＥは、ビームグループ内のｎ個のビームを用いることによってｎ個のタイプのパイロット構成に従って基地局により別個に送信されるパイロット信号を受信することができる。
【０１１６】
詳細には、基地局は、ｎ個のタイプのパイロット信号構成によって示される時間−周波数リソースにおいてｎ個のビームを用いることによって、ｎ個のタイプのパイロット信号をＵＥに別個に送信することができる。
【０１１７】
オプションで、別の実施形態として、ビームグループ内のｎ個のビームを用いることによってｎ個のタイプのパイロット信号構成に従って基地局により別個に送信されるパイロット信号を受信する前に、ＵＥは、基地局によって送信される第２のシグナリングを受信することができ、ここで、第２のシグナリングは、ｎ個のタイプのパイロット信号構成と、パイロット信号を送信するための開始時間および送信間隔とを示すのに用いられる。
【０１１８】
ステップ２２０において、ＵＥは第２のシグナリングに従ってパイロット信号を測定し、ｎ個の測定結果を得ることができる。
【０１１９】
詳細には、ＵＥは、送信間隔に従って、上記の開始時間からｎ個のタイプのパイロット信号構成によって別個に示される時間−周波数リソースにおいてパイロット信号を測定することができる。
【０１２０】
オプションで、別の実施形態として、ＵＥは、第２の測定情報を基地局に送信することができ、ここで第２の測定情報はｎ個の測定結果を含み、また、ＵＥは、データ送信ビームを用いることによって基地局により送信されるデータを受信することができる。ここで、データ送信ビームは、ビームグループおよび第２の測定情報に従って基地局によって決定される。
【０１２１】
本発明の実施形態は、以下で特定の例を参照して詳細に紹介される。以下の例は、本発明の実施形態の範囲を限定するのではなく、当業者が本発明の実施形態をより良好な形で理解するのを助けるためのものにすぎないことに留意されたい。
【０１２２】
図３は、本発明の実施形態が適用可能であるシナリオの例の概略図である。
【０１２３】
図３において、３２個の交差偏波アンテナが存在し、各偏波方向に１６個のアンテナが存在することが想定される。基地局は、アンテナ重み付け方式を用いることによって、１６個のビームを形成することができる。図３に示すように、１６個のビームはビーム０から１５として表され得る。各ビームは２つのポートに対応することができ、このとき、１６個のビームは３２個のポートに対応する。
【０１２４】
基地局は、３２個のポートを用いることによって、ＵＥのアップリンクサウンディング信号を別個に受信することができ、ＵＥのアップリンクサウンディング信号に従ってビーム０から１５の各々の平均アップリンク受信電力を決定することができる。特定のプロセスについて、図１の実施形態のプロセスへの参照が行われ得る。
【０１２５】
次に、基地局は、ビーム０から１５の平均アップリンク受信電力を比較して、パイロット信号を送信するためのビームとして、最大の平均アップリンク受信電力を有するビームを選択することができる。
【０１２６】
例えば、ビーム２の平均アップリンク受信電力が最大であると想定され、ビーム２を例として用いることによって以下で説明が行われる。
【０１２７】
パイロット信号を送信する前に、基地局は上位層シグナリングをＵＥに送信し、ＵＥに、ビーム２に対応するパイロット信号構成と、パイロット信号を送信するための開始時間および送信間隔とを示すことができる。このようにして、ＵＥは、開始時間および送信間隔に従って、ビーム２に対応するパイロット信号構成によって示される時間−周波数リソースにおいてパイロット信号を測定し、測定情報を得て、この測定情報を基地局に報告することができる。
【０１２８】
基地局は、ビーム２を、ＵＥに対応するデータ送信ビームとして用い、ビーム２を用いることによって測定情報に従ってＵＥにデータを送信することができる。
【０１２９】
既存のパイロット設計解決策に基づいて、基地局は、３２個のポートを用いることによってパイロット信号をＵＥに送信する必要があり、結果として、ＵＥのために基地局によってパイロット信号を構成する柔軟性が乏しくなり、且つ、ＵＥによってパイロット信号を測定する複雑度が高くなる。一方、本発明の実施形態では、基地局は、１６個のビームから、パイロット信号を送信するための１つのビームを選択する、すなわち、３２個のポートから、パイロット信号を送信するための２つのポートを選択することができ、それによって、ＵＥのためにパイロット信号を構成する柔軟性を改善し、ＵＥによってパイロット信号を測定する複雑度を低減する。
【０１３０】
さらに、既存のパイロット設計解決策は、３２個のポートをサポートしない。一方、本発明の実施形態では、基地局は、１６個のビームから、パイロット信号を送信するための１つのビームを選択し、すなわち、３２個のポートから、パイロット信号を送信するための２つのポートを選択することができる。このようにして、プロトコルによってサポートされるパイロットパターンおよびコードブックが依然として用いられることができ、大規模アンテナシステムにおけるパイロット信号送信が実施されることができる。
【０１３１】
図４は、本発明の実施形態が適用可能であるシナリオの別の例の概略図である。
【０１３２】
図４において、３２個の交差偏波アンテナが存在し、各偏波方向に１６個のアンテナが存在することが依然として想定される。基地局は、アンテナ重み付け方式を用いることによって、１６個のビームを形成することができる。図４に示すように、１６個のビームはビーム０から１５として表され得る。各ビームは２つのポートに対応することができ、このとき、１６個のビームは３２個のポートに対応する。
【０１３３】
基地局は、１６個のビームを、各４つの隣接するビームを１つのグループとして有する４つのグループにグループ化することができる。図４に示すように、４つのグループはそれぞれ、グループ０、グループ１、グループ２およびグループ３として表され得る。
【０１３４】
基地局は、３２個のポートを用いることによって、ＵＥのアップリンクサウンディング信号を別個に受信し、ＵＥのアップリンクサウンディング信号に従って、ビーム０から１５の各々の平均アップリンク受信電力を決定することができる。特定のプロセスについて、図１の実施形態のプロセスへの参照が行われ得る。
【０１３５】
次に、基地局は、各ビームグループ内のビームの平均アップリンク受信電力の和を別個に計算することができる。例えば、ビーム０から３の平均アップリンク受信電力は、グループ０の平均アップリンク受信電力の和を得るために合算される。
【０１３６】
基地局は、グループ０から３の平均アップリンク受信電力の和を比較し、平均アップリンク受信電力の最大の和を有するグループを選択し、次に、このグループ内のビームを用いることによって、パイロット信号をＵＥに送信することができる。
【０１３７】
グループ２の平均アップリンク受信電力の和は、最大であると想定される。以下で、グループ２を例として用いることによって説明が行われる。
【０１３８】
ビームを区別するために、ビームに対応するパイロット信号構成は互いに異なる。すなわち、同じグループ内のビームに対応するパイロット信号構成は異なる。異なるグループ内のビームに対応するパイロット信号構成も異なる。すなわち、１６個のビームは１６個のタイプのパイロット信号構成に対応する。したがってビーム４から７は、４つのタイプのパイロット信号構成に別個に対応する。すなわち、基地局は、ビーム４から７を用い、４つのタイプのパイロット信号構成を用いることによって、４つのタイプのパイロット信号をＵＥに送信することができる。また、それは、基地局が、グループ２内の８つのポートを用いることによってＵＥに４つのタイプのパイロット信号を送信し、各ビームに対応する２つのポートが１つのタイプのパイロット信号構成に対応することとしても理解され得る。
【０１３９】
パイロット信号を送信する前に、基地局は、上位層シグナリングをＵＥに送信し、ＵＥに、ビーム４から７に別個に対応する４つのタイプのパイロット信号構成と、パイロット信号を送信するための開始時間および送信間隔とを示すことができる。
【０１４０】
ＵＥは、開始時間および送信間隔に従って、４つのタイプのパイロット信号構成によって別個に示される時間−周波数リソースにおいてパイロット信号を測定することができる。４つのタイプのパイロット信号構成によって別個に示される時間−周波数リソースは、４つの測定ポイント、すなわち測定ポイント０、測定ポイント１、測定ポイント２、および測定ポイント３として参照されることが想定される。測定ポイント０はビーム４に対応し、測定ポイント１はビーム５に対応し、測定ポイント２はビーム６に対応し、測定ポイント３はビーム７に対応する。ここで、測定ポイントは、同じ開始時間および送信間隔にも対応する。
【０１４１】
ＵＥは、４つの測定ポイントにおいて別個に、ビーム４から７を用いることによって送信される４つのタイプのパイロット信号を測定して４つの測定結果を得て、この測定結果を基地局に報告する。
【０１４２】
基地局は、４つの測定結果に従って、４つの測定結果に対応するスペクトル効率を得ることができる。基地局は、４つの測定結果に対応するスペクトル効率を比較し、最大スペクトル効率を有する測定結果を選択する。基地局は、選択された測定結果に対応するビームを決定することができる。例えば、測定ポイント１において得られた測定結果に対応するスペクトル効率が最大であることが想定され、このとき、測定結果に対応するビームはビーム５である。次に、基地局は、ビーム５を用いることによってＵＥにデータを送信することができる。
【０１４３】
既存のパイロット設計解決策に基づいて、基地局は、３２個のポートを用いることによってパイロット信号をＵＥに送信する必要があり、結果として、ＵＥのために基地局によってパイロット信号を構成する柔軟性が乏しくなり、且つ、ＵＥによってパイロット信号を測定する複雑度が高くなる。一方、本発明の実施形態では、基地局は、１６個のビームから、パイロット信号を送信するためのビームの一部を選択する、すなわち、３２個のポートから、パイロット信号を送信するためのポートの一部を選択することができ、それによって、ＵＥのためにパイロット信号を構成する柔軟性を改善し、ＵＥによってパイロット信号を測定する複雑度を低減する。
【０１４４】
さらに、既存のパイロット設計解決策は、３２個のポートをサポートしない。一方、本発明の実施形態では、基地局は、１６個のビームから、パイロット信号を送信するための１つのビームを選択し、すなわち、３２個のポートから、パイロット信号を送信するための２つのポートを選択することができる。このようにして、プロトコルによってサポートされるパイロットパターンおよびコードブックが依然として用いられることができ、大規模アンテナシステムにおけるパイロット信号送信が実施されることができる。
【０１４５】
図５は、本発明の実施形態による基地局の概略ブロック図である。図５の基地局５００は、重み付けユニット５１０と、第１の決定ユニット５２０と、選択ユニット５３０と、送信ユニット５４０とを含む。
【０１４６】
重み付けユニット５１０は、アンテナ重み付けの方式を用いることによって、ｍ個のビームを形成する。ここで、ｍは１よりも大きい正の整数である。第１の決定ユニット５２０は、ユーザ機器（ＵＥ）のアップリンクサウンディング信号に従って、ｍ個のビームにおける各ビームのアップリンク受信電力を決定する。選択ユニット５３０は、ｍ個のビームにおける各ビームのアップリンク受信電力に従って、ｍ個のビームからｎ個のビームを選択する。ここで、ｎは正の整数であり、ｎ＜ｍである。送信ユニット５４０は、ｎ個のビームを用いることによってパイロット信号をＵＥに送信する。
【０１４７】
本発明の実施形態において、ｍ個のビームにおける各ビームのアップリンク受信電力が、ＵＥのアップリンクサウンディング信号に従って決定され、全てのビームを用いることによってパイロット信号をＵＥに送信するのではなく、パイロット信号をＵＥに送信するために、ｎ個のビームが、ｍ個のビームにおける各ビームのアップリンク受信電力に従ってｍ個のビームから選択され、これによってＵＥのためにパイロット信号を構成する柔軟性を改善し、ＵＥによってパイロット信号を測定する複雑度を低減する。
【０１４８】
オプションで、実施形態として、選択ユニット５３０は、ｍ個のビームから最適ビームを選択することができ、ここで、最適ビームのアップリンク受信電力は、ｍ個のビームにおける最大のものである。送信ユニット５４０は、最適ビームを用いることによってパイロット信号をＵＥに送信することができる。
【０１４９】
オプションで、別の実施形態として、最適ビームを用いることによってパイロット信号をＵＥに送信する前に、送信ユニット５４０は、第１のシグナリングをＵＥにさらに送信することができる。ここで、第１のシグナリングは、最適ビームに対応するパイロット信号構成と、パイロット信号を送信するための開始時間および送信間隔を示すのに用いられ、パイロット信号構成は、パイロット信号によって占有される時間−周波数リソースを示すのに用いられる。
【０１５０】
オプションで、別の実施形態として、基地局５００は第１の受信ユニット５５０をさらに含むことができる。第１の受信ユニット５５０は、送信ユニット５４０が最適ビームを用いることによってパイロット信号をＵＥに送信した後、ＵＥから第１の測定情報を受信する。ここで、第１の測定情報は、ＵＥが第１のシグナリングに従ってパイロット信号を測定した後にＵＥによって得られる。送信ユニット５４０は、最適ビームを用いることによって、第１の測定情報に従ってデータをＵＥにさらに送信することができる。
【０１５１】
オプションで、別の実施形態として、第１の測定情報はＣＱＩを含むことができる。あるいは、第１の測定情報は、ＣＱＩと、以下のもの、すなわち階数およびＰＭＩのうちの少なくとも１つを含むことができる。
【０１５２】
オプションで、別の実施形態として、選択ユニット５３０は、ｍ個のビームにおける各ビームのアップリンク受信電力に従って、ｑ個のビームグループの各々におけるビームのアップリンク受信電力の和を決定することができ、ここで、ｑ個のビームグループは、ｍ個のビームをグループ化することによって得られ、各ビームグループはｎ個のビームを含み、選択ユニット５３０は次に、ｑ個のビームグループからビームグループを選択することができ、ここで、選択されたビームグループ内のビームのアップリンク受信電力の和は、ｑ個のビームグループにおける最大のものである。
【０１５３】
オプションで、別の実施形態として、選択されたビームグループ内のｎ個のビームは、ｎ個のタイプのパイロット信号構成と１対１の対応関係にあることができ、パイロット信号構成は、パイロット信号によって占有される時間−周波数リソースのために別個に用いられる。送信ユニット５４０は、選択されたビームグループ内のｎ個のビームを用いることによって、ｎ個のタイプのパイロット信号構成に従ってパイロット信号をＵＥに別個に送信することができる。
【０１５４】
オプションで、別の実施形態として、選択されたビームグループ内のｎ個のビームを用いることによって、ｎ個のタイプのパイロット信号構成に従ってパイロット信号をＵＥに別個に送信する前に、送信ユニット５４０はＵＥに第２のシグナリングをさらに送信することができる。ここで、第２のシグナリングは、ｎ個のタイプのパイロット信号構成と、パイロット信号を送信するための開始時間および送信間隔とを示すのに用いられる。
【０１５５】
オプションで、別の実施形態として、基地局５００は、第２の受信ユニット５６０と、第２の決定ユニット５７０とをさらに含むことができる。送信ユニット５４０が、選択されたビームグループ内のｎ個のビームを用いることによってｎ個のタイプのパイロット信号構成に従ってパイロット信号をＵＥに別個に送信した後に、第２の受信ユニット５６０はＵＥから第２の測定情報を受信することができる。ここで、第２の測定情報は、ＵＥが第２のシグナリングに従ってパイロット信号を測定した後にＵＥによって得られるｎ個の測定結果を含む。第２の決定ユニット５７０は、選択されたビームグループおよび第２の測定情報に従って、ＵＥに対応するデータ送信ビームをさらに決定することができる。送信ユニット５４０は、データ送信ビームを用いることによってデータをＵＥにさらに送信することができる。
【０１５６】
オプションで、別の実施形態として、第２の決定ユニット５７０は、ｎ個の測定結果に別個に対応するスペクトル効率を決定することができ、ｎ個の測定結果に別個に対応するスペクトル効率に従って、ｎ個の測定結果における最適な測定結果を決定することができる。ここで、最適な測定結果に対応するスペクトル効率は、ｎ個の測定結果における最大のものである。次に、第２の決定ユニット５７０は、最適な測定結果および選択されたビームグループに従ってデータ送信ビームを決定することができる。
【０１５７】
オプションで、別の実施形態として、ｎ個の測定結果における各測定結果はＣＱＩを含むことができる。あるいは、各測定結果は、ＣＱＩと、以下のもの、すなわち階数およびＰＭＩのうちの少なくとも１つを含むことができる。
【０１５８】
オプションで、実施形態として、上記のパイロット信号はＣＳＩ−ＲＳであり得る。
【０１５９】
図５における基地局５００の他の機能および動作について、図１から図４における上記の方法実施形態における基地局に関係するプロセスへの参照が行われ得る。繰返しを回避するために、本明細書において詳細は再び説明されない。
【０１６０】
図６は、本発明の実施形態によるＵＥの概略ブロック図である。図６のＵＥ６００は、受信ユニット６１０および測定ユニット６２０を含む。
【０１６１】
受信ユニット６１０は、ｎ個のビームを用いることによって基地局により送信されるパイロット信号を受信する。ここで、ｎ個のビームは、ｍ個の形成されたビームから、ｍ個のビームにおける各ビームのアップリンク受信電力に従って基地局によって選択され、ｍは１よりも大きい正の整数であり、ｎは正の整数であり、ｎ＜ｍである。測定ユニット６２０はパイロット信号を測定する。
【０１６２】
本発明の実施形態において、ｎ個のビームを用いることによって基地局により送信されるパイロット信号が測定され、ｍ個のビームからｎ個のビームが選択され、それによって測定複雑度を低減する。さらに、基地局はｍ個のビームにおけるｎ個のビームを用いることによってパイロット信号を送信し、これによって、ＵＥのためにパイロット信号を構成する柔軟性を改善することができる。
【０１６３】
オプションで、実施形態として、受信ユニット６１０は、最適ビームを用いることによって基地局により送信されるパイロット信号を受信することができる。ここで、最適ビームのアップリンク受信電力は、ｍ個のビームにおける最大のものである。
【０１６４】
オプションで、別の実施形態として、最適ビームを用いることによって基地局により送信されるパイロット信号を受信する前に、受信ユニット６１０は基地局によって送信される第１のシグナリングをさらに受信することができる。ここで、第１のシグナリングは、最適ビームに対応するパイロット信号構成と、パイロット信号を送信するための開始時間および送信間隔とを示すのに用いられ、パイロット信号構成は、パイロット信号によって占有される時間−周波数リソースを示すのに用いられる。測定ユニット６２０は、第１のシグナリングに従ってパイロット信号を測定し、第１の測定情報を得ることができる。
【０１６５】
オプションで、別の実施形態として、ＵＥ６００は送信ユニット６３０をさらに含むことができる。
【０１６６】
送信ユニット６３０は、第１の測定情報を基地局に送信することができる。受信ユニット６１０は、最適ビームを用いることによって、第１の測定情報に従って基地局によって送信されるデータをさらに受信することができる。
【０１６７】
オプションで、別の実施形態として、第１の測定情報はＣＱＩを含むことができる。あるいは、第１の測定情報は、ＣＱＩと、以下のもの、すなわち階数およびＰＭＩのうちの少なくとも１つを含むことができる。
【０１６８】
オプションで、別の実施形態として、受信ユニット６１０は、ビームグループ内のｎ個のビームを用いることによって基地局により別個に送信されるパイロット信号を受信することができる。ここで、ビームグループは、ｍ個のビームをグループ化することによって基地局により得られるｑ個のビームグループから選択され、各ビームグループはｎ個のビームを含み、ビームグループ内のビームのアップリンク受信電力の和は、ｑ個のビームグループにおける最大のものである。
【０１６９】
オプションで、別の実施形態として、ビームグループ内のｎ個のビームは、ｎ個のタイプのパイロット信号構成と１対１の対応関係にあり、パイロット信号構成は、パイロット信号によって占有される時間−周波数リソースを示すのに用いられる。受信ユニット６１０は、ビームグループ内のｎ個のビームを用いることによってｎ個のタイプのパイロット構成に従って基地局により別個に送信されるパイロット信号を受信することができる。
【０１７０】
オプションで、別の実施形態として、ビームグループ内のｎ個のビームを用いることによってｎ個のタイプのパイロット構成に従って基地局により別個に送信されるパイロット信号を受信する前に、受信ユニット６１０は、基地局によって送信される第２のシグナリングをさらに受信することができ、ここで、第２のシグナリングは、ｎ個のタイプのパイロット信号構成と、パイロット信号を送信するための開始時間および送信間隔とを示すのに用いられる。
【０１７１】
測定ユニット６２０は第２のシグナリングに従ってパイロット信号を測定し、ｎ個の測定結果を得ることができる。
【０１７２】
オプションで、別の実施形態として、送信ユニット６３０は、第２の測定情報を基地局に送信することができ、ここで第２の測定情報はｎ個の測定結果を含む。受信ユニット６１０は、データ送信ビームを用いることによって基地局により送信されるデータをさらに受信することができる。ここで、データ送信ビームは、ビームグループおよび第２の測定情報に従って基地局によって決定される。
【０１７３】
オプションで、別の実施形態として、ｎ個の測定結果における各測定結果はＣＱＩを含むことができる。あるいは、各測定結果は、ＣＱＩと、以下のもの、すなわち階数およびＰＭＩのうちの少なくとも１つを含むことができる。
【０１７４】
オプションで、実施形態として、上記のパイロット信号はＣＳＩ−ＲＳであり得る。
【０１７５】
図６におけるＵＥ６００の他の機能および動作について、図１から図４における上記の方法実施形態におけるＵＥに関係するプロセスへの参照が行われ得る。繰返しを回避するために、本明細書において詳細は再び説明されない。
【０１７６】
図７は、本発明の別の実施形態による基地局の概略ブロック図である。図７の基地局７００は、プロセッサ７１０および送信機７２０を含む。
【０１７７】
プロセッサ７１０は、アンテナ重み付けの方式を用いることによって、ｍ個のビームを形成する。ここで、ｍは１よりも大きい正の整数である。プロセッサ７１０は、ユーザ機器（ＵＥ）のアップリンクサウンディング信号に従って、ｍ個のビームにおける各ビームのアップリンク受信電力をさらに決定する。プロセッサ７１０は、ｍ個のビームにおける各ビームのアップリンク受信電力に従って、ｍ個のビームからｎ個のビームを選択する。ここで、ｎは正の整数であり、ｎ＜ｍである。送信機７２０は、ｎ個のビームを用いることによってパイロット信号をＵＥに送信する。
【０１７８】
本発明の実施形態において、ｍ個のビームにおける各ビームのアップリンク受信電力が、ＵＥのアップリンクサウンディング信号に従って決定され、全てのビームを用いることによってパイロット信号をＵＥに送信するのではなく、パイロット信号をＵＥに送信するために、ｎ個のビームが、ｍ個のビームにおける各ビームのアップリンク受信電力に従ってｍ個のビームから選択され、これによってＵＥのためにパイロット信号を構成する柔軟性を改善し、ＵＥによってパイロット信号を測定する複雑度を低減する。
【０１７９】
オプションで、実施形態として、プロセッサ７１０は、ｍ個のビームから最適ビームを選択することができ、ここで、最適ビームのアップリンク受信電力は、ｍ個のビームにおける最大のものである。送信機７２０は、最適ビームを用いることによってパイロット信号をＵＥに送信することができる。
【０１８０】
オプションで、別の実施形態として、最適ビームを用いることによってパイロット信号をＵＥに送信する前に、送信機７２０は、第１のシグナリングをＵＥにさらに送信することができる。ここで、第１のシグナリングは、最適ビームに対応するパイロット信号構成と、パイロット信号を送信するための開始時間および送信間隔を示すのに用いられ、パイロット信号構成は、パイロット信号によって占有される時間−周波数リソースを示すのに用いられる。
【０１８１】
オプションで、別の実施形態として、基地局７００は受信機７３０をさらに含むことができる。受信機７３０は、送信機７２０が最適ビームを用いることによってパイロット信号をＵＥに送信した後、ＵＥから第１の測定情報を受信する。ここで、第１の測定情報は、ＵＥが第１のシグナリングに従ってパイロット信号を測定した後にＵＥによって得られる。送信機７２０は、最適ビームを用いることによって、第１の測定情報に従ってデータをＵＥにさらに送信することができる。
【０１８２】
オプションで、別の実施形態として、第１の測定情報はＣＱＩを含むことができる。あるいは、第１の測定情報は、ＣＱＩと、以下のもの、すなわち階数およびＰＭＩのうちの少なくとも１つを含むことができる。
【０１８３】
オプションで、別の実施形態として、プロセッサ７１０は、ｍ個のビームにおける各ビームのアップリンク受信電力に従ってｑ個のビームグループの各々におけるビームのアップリンク受信電力の和を決定することができ、ここで、ｑ個のビームグループは、ｍ個のビームをグループ化することによって得られ、各ビームグループはｎ個のビームを含み、プロセッサ７１０は次に、ｑ個のビームグループからビームグループを選択することができ、ここで、選択されたビームグループ内のビームのアップリンク受信電力の和は、ｑ個のビームグループにおける最大のものである。
【０１８４】
オプションで、別の実施形態として、選択されたビームグループ内のｎ個のビームは、ｎ個のタイプのパイロット信号構成と１対１の対応関係にあることができ、パイロット信号構成は、パイロット信号によって占有される時間−周波数リソースのために別個に用いられる。送信機７２０は、選択されたビームグループ内のｎ個のビームを用いることによって、ｎ個のタイプのパイロット信号構成に従ってパイロット信号をＵＥに別個に送信することができる。
【０１８５】
オプションで、別の実施形態として、選択されたビームグループ内のｎ個のビームを用いることによって、ｎ個のタイプのパイロット信号構成に従ってパイロット信号をＵＥに別個に送信する前に、送信機７２０はＵＥに第２のシグナリングをさらに送信することができる。ここで、第２のシグナリングは、ｎ個のタイプのパイロット信号構成と、パイロット信号を送信するための開始時間および送信間隔とを示すのに用いられる。
【０１８６】
オプションで、別の実施形態として、送信機７２０が、選択されたビームグループ内のｎ個のビームを用いることによってｎ個のタイプのパイロット信号構成に従ってパイロット信号をＵＥに別個に送信した後に、受信機７３０はＵＥから第２の測定情報を受信することができる。ここで、第２の測定情報は、ＵＥが第２のシグナリングに従ってパイロット信号を測定した後にＵＥによって得られるｎ個の測定結果を含む。プロセッサ７１０は、選択されたビームグループおよび第２の測定情報に従って、ＵＥに対応するデータ送信ビームをさらに決定することができる。送信機７２０は、データ送信ビームを用いることによってデータをＵＥにさらに送信することができる。
【０１８７】
オプションで、別の実施形態として、プロセッサ７１０は、ｎ個の測定結果に別個に対応するスペクトル効率を決定することができ、ｎ個の測定結果に別個に対応するスペクトル効率に従って、ｎ個の測定結果における最適な測定結果を決定することができる。ここで、最適な測定結果に対応するスペクトル効率は、ｎ個の測定結果における最大のものである。次に、プロセッサ７１０は、最適な測定結果および選択されたビームグループに従ってデータ送信ビームを決定することができる。
【０１８８】
オプションで、別の実施形態として、ｎ個の測定結果における各測定結果はＣＱＩを含むことができる。あるいは、各測定結果は、ＣＱＩと、以下のもの、すなわち階数およびＰＭＩのうちの少なくとも１つを含むことができる。
【０１８９】
オプションで、実施形態として、上記のパイロット信号はＣＳＩ−ＲＳであり得る。
【０１９０】
図７における基地局７００の他の機能および動作について、図１から図４における上記の方法実施形態における基地局に関係するプロセスへの参照が行われ得る。繰返しを回避するために、本明細書において詳細は再び説明されない。
【０１９１】
図８は、本発明の別の実施形態によるＵＥの概略ブロック図である。図８のＵＥ８００は、受信機８１０およびプロセッサ８２０を含む。
【０１９２】
受信機８１０は、ｎ個のビームを用いることによって基地局により送信されるパイロット信号を受信する。ここで、ｎ個のビームは、ｍ個の形成されたビームから、ｍ個のビームにおける各ビームのアップリンク受信電力に従って基地局によって選択され、ｍは１よりも大きい正の整数であり、ｎは正の整数であり、ｎ＜ｍである。プロセッサ８２０はパイロット信号を測定する。
【０１９３】
本発明の実施形態において、ｎ個のビームを用いることによって基地局により送信されるパイロット信号が測定され、ｍ個のビームからｎ個のビームが選択され、それによって測定複雑度を低減する。さらに、基地局はｍ個のビームにおけるｎ個のビームを用いることによってパイロット信号を送信し、これによって、ＵＥのためにパイロット信号を構成する柔軟性を改善することができる。
【０１９４】
オプションで、実施形態として、受信機８１０は、最適ビームを用いることによって基地局により送信されるパイロット信号を受信することができる。ここで、最適ビームのアップリンク受信電力は、ｍ個のビームにおける最大のものである。
【０１９５】
オプションで、別の実施形態として、最適ビームを用いることによって基地局により送信されるパイロット信号を受信する前に、受信機８１０は基地局によって送信される第１のシグナリングをさらに受信することができる。ここで、第１のシグナリングは、最適ビームに対応するパイロット信号構成と、パイロット信号を送信するための開始時間および送信間隔とを示すのに用いられ、パイロット信号構成は、パイロット信号によって占有される時間−周波数リソースを示すのに用いられる。プロセッサ８２０は、第１のシグナリングに従ってパイロット信号を測定し、第１の測定情報を得ることができる。
【０１９６】
オプションで、別の実施形態として、ＵＥ８００は送信機８３０をさらに含むことができる。
【０１９７】
送信機８３０は、第１の測定情報を基地局に送信することができる。受信機８１０は、最適ビームを用いることによって、第１の測定情報に従って基地局によって送信されるデータをさらに受信することができる。
【０１９８】
オプションで、別の実施形態として、第１の測定情報はＣＱＩを含むことができる。あるいは、第１の測定情報は、ＣＱＩと、以下のもの、すなわち階数およびＰＭＩのうちの少なくとも１つを含むことができる。
【０１９９】
オプションで、別の実施形態として、受信機８１０は、ビームグループ内のｎ個のビームを用いることによって基地局により別個に送信されるパイロット信号を受信することができる。ここで、ビームグループは、ｍ個のビームをグループ化することによって基地局により得られるｑ個のビームグループから選択され、各ビームグループはｎ個のビームを含み、ビームグループ内のビームのアップリンク受信電力の和は、ｑ個のビームグループにおける最大のものである。
【０２００】
オプションで、別の実施形態として、ビームグループ内のｎ個のビームは、ｎ個のタイプのパイロット信号構成と１対１の対応関係にあり、パイロット信号構成は、パイロット信号によって占有される時間−周波数リソースを示すのに用いられる。受信機８１０は、ビームグループ内のｎ個のビームを用いることによってｎ個のタイプのパイロット構成に従って基地局により別個に送信されるパイロット信号を受信することができる。
【０２０１】
オプションで、別の実施形態として、ビームグループ内のｎ個のビームを用いることによってｎ個のタイプのパイロット構成に従って基地局により別個に送信されるパイロット信号を受信する前に、受信機８１０は、基地局によって送信される第２のシグナリングをさらに受信することができ、ここで、第２のシグナリングは、ｎ個のタイプのパイロット信号構成と、パイロット信号を送信するための開始時間および送信間隔とを示すのに用いられる。
【０２０２】
受信機８１０は第２のシグナリングに従ってパイロット信号を測定し、ｎ個の測定結果を得ることができる。
【０２０３】
オプションで、別の実施形態として、受信機８１０は、第２の測定情報を基地局に送信することができ、ここで第２の測定情報はｎ個の測定結果を含む。受信機８１０は、データ送信ビームを用いることによって基地局により送信されるデータをさらに受信することができる。ここで、データ送信ビームは、ビームグループおよび第２の測定情報に従って基地局によって決定される。
【０２０４】
オプションで、別の実施形態として、ｎ個の測定結果における各測定結果はＣＱＩを含むことができる。あるいは、各測定結果は、ＣＱＩと、以下のもの、すなわち階数およびＰＭＩのうちの少なくとも１つを含むことができる。
【０２０５】
オプションで、実施形態として、上記のパイロット信号はＣＳＩ−ＲＳであり得る。
【０２０６】
図８におけるＵＥ８００の他の機能および動作について、図１から図４における上記の方法実施形態におけるＵＥに関係するプロセスへの参照が行われ得る。繰返しを回避するために、本明細書において詳細は再び説明されない。
【０２０７】
当業者であれば、本明細書において開示される実施形態において説明される例と組み合わせて、ユニットおよびアルゴリズムステップが、電子ハードウェアによって、またはコンピュータソフトウェアと電子ハードウェアとの組合せによって実施され得ることを認識することができる。機能がハードウェアによって実行されるかまたはソフトウェアによって実行されるかは、技術的解決策の特定の用途および設計制約条件に依拠する。当業者は、様々な方法を用いて、特定の用途ごとに説明した機能を実施することができるが、実施が本発明の範囲を超えているとみなされるべきでない。
【０２０８】
便宜上、かつ説明を簡潔にするために、上記のシステム、装置およびユニットの詳細な作業プロセスについて、上記の方法実施形態における対応するプロセスへの参照が行われることができ、詳細が本明細書において再び説明されないことが当業者によって明確に理解され得る。
【０２０９】
本出願において提供されるいくつかの実施形態において、開示されるシステム、装置および方法は他の方式で実施され得ることが理解されるべきである。例えば、説明される装置実施形態は例示にすぎない。例えば、ユニット分割は単に論理機能分割であり、実際の実施では他の分割であってもよい。例えば、複数のユニットもしくはコンポーネントが組み合わされるかもしくは別のシステムに統合されてもよく、またはいくつかの特徴が無視されるかもしくは実行されなくてもよい。さらに、表示または検討された相互結合または直接結合もしくは通信接続は、いくつかのインタフェースを通じて実施され得る。装置またはユニット間の間接結合または通信接続は、電子、機械、または他の形態で実施され得る。
【０２１０】
別個の部品として説明されるユニットは、物理的に別個であっても別個でなくてもよく、ユニットとして表示される部品は、物理的ユニットであってもなくてもよく、１つの位置に配置されてもよく、または複数のネットワークユニット上で分散されてもよい。ユニットの一部または全ては、必要に応じて、実施形態の解決策の目的を達成するように選択され得る。
【０２１１】
さらに、本発明の実施形態における機能ユニットは、１つの処理ユニットに統合されてもよく、ユニットの各々が物理的に単独で存在してもよく、または２つ以上のユニットが１つのユニットに統合されてもよい。
【０２１２】
機能がソフトウェア機能ユニットの形態で実施され、独立製品として販売または使用されるとき、機能はコンピュータ可読媒体に記憶され得る。そのような理解に基づいて、本発明の技術的解決策は本質的に、または従来技術に寄与する部分が、または技術的解決策の一部が、ソフトウェア製品の形態で実施され得る。コンピュータソフトウェア製品は記憶媒体に記憶され、コンピュータデバイス（パーソナルコンピュータ、サーバ、ネットワークデバイス等であり得る）に、本発明の実施形態において説明される方法のステップの全てまたは一部分を実行するように命令するためのいくつかの命令を含む。上記のストレージ媒体は、ＵＳＢフラッシュドライブ、リムーバブルハードディスク、リードオンリーメモリ（ＲＯＭ、リードオンリーメモリ）、ランダムアクセスメモリ（ＲＡＭ、ランダムアクセスメモリ）、磁気ディスクまたは光ディスク等の、プログラムコードを記憶することができる任意の媒体を含む。
【０２１３】
上記の説明は、単に本発明の特定の実施方式であるが、本発明の保護範囲を限定するように意図されていない。本発明において開示される技術範囲内で当業者によって容易に考え出される任意の変形または置換は、本発明の保護範囲内にあるものとする。したがって、本発明の保護範囲は、特許請求の範囲の保護範囲下にあるものとする。
【図１】
0006306692.tif 000003
【図２】
0006306692.tif 000004
【図３】
0006306692.tif 000005
【図４】
0006306692.tif 000006
【図５】
0006306692.tif 000007
【図６】
0006306692.tif 000008
【図７】
0006306692.tif 000009
【図８】
0006306692.tif 000010